(57)【要約】  本発明はチャネル状態情報参照信号（CSI-RS）の伝送方法を提供し、それは、１つのリソースブロックからs組のmiアンテナポートのCSI-RSを伝送用のリソース要素を選択し、又はr個のリソースブロックのうちの各リソースブロックから少なくとも１つのmjアンテナポートのCSI-RSを伝送用のリソース要素を選択し、nアンテナポートのCSI-RSに対応するリソース要素組を構成し、n＞mi、n＞mj、1≦i≦s、1≦j≦rであり；及び、nアンテナポートのCSI-RSをリソース要素組により端末に伝送し、指示シグナリングにより端末に関連情報を通知することを含む。本発明は更に基地局、端末、システム、マシン可読プログラム及びマシン可読プログラムを記憶した記憶媒体を提供する。本発明は従来の少数アンテナポートのCSI-RSチャネル状態情報参照信号に基づいて、より多くのアンテナポートをサポートし得るCSI-RSチャネル状態情報参照信号を提供することができ、これにより、大規模アンテナシステムのパフォーマンスを十分に発揮することができる。
2016509785.tif 000002
【特許請求の範囲】
【請求項１】
チャネル状態情報参照信号の伝送方法であって、
１つのリソースブロックからs組のリソース要素を選択し、第Ai組のリソース要素はmiアンテナポートのチャネル状態情報参照信号を伝送するためのリソース要素であり、これにより、nアンテナポートのチャネル状態情報参照信号に対応するリソース要素組を構成し、そのうち、s＞1、n＞mi、1≦i≦sであり、又は
r個のリソースブロックのうちの第Aj個目のリソースブロックから、少なくとも１つの、mjアンテナポートのチャネル状態情報参数信号を伝送するためのリソース要素を選択し、全ての選択されたリソース要素を用いてnアンテナポートのチャネル状態情報参照信号に対応するリソース要素組を構成し、そのうち、r＞1、n＞mj、1≦j≦rであり；及び
前記リソース要素組により、前記nアンテナポートのチャネル状態情報参照信号を１つ又は複数の端末に伝送することを含む、伝送方法。
【請求項２】
請求項1に記載の伝送方法であって、
前記リソース要素組が前記１つのリソースブロックに由来する時に、更に前記端末に指示シグナリングを送信することを含み、
前記指示シグナリングは、第一ジョイント・シグナリング及び前記s組のリソース要素に対応するs個の第一構成シグナリングを含み、
前記第一ジョイント・シグナリングは、トータルのアンテナポート数nの数値、前記１つのリソースブロックの時間領域上での周期及び時間領域周期中でのオフセット、及び前記端末がチャネル状態情報をフィードバック時に想定するデータチャネルの伝送パワー比γiを含み；また、第Ai組のリソース要素に対応する第一構成シグナリングは、アンテナポート数mi、及び前記第Ai組のリソース要素の前記１つのリソースブロック中での位置を含む、伝送方法。
【請求項３】
請求項1に記載の伝送方法であって、
前記リソース要素組が前記r個のリソースブロックに由来する時に、更に前記端末に指示シグナリングを送信することを含み、
前記指示シグナリングは、第二ジョイント・シグナリング及び前記r個のリソースブロックに対応するr個の第二構成シグナリングを含み、
前記第二ジョイント・シグナリングは、トータルのアンテナポート数nの数値を含み；また、第Aj個目のリソースブロックに対応する第二構成シグナリングは、アンテナポート数mjの数値、前記第Aj個目のリソースブロック中の被選リソース要素の所在位置情報、前記第Aj個目のリソースブロックの位置情報、及び前記端末がチャネル状態情報をフィードバック時に想定するデータチャネルの伝送パワー比γjを含む、伝送方法。
【請求項４】
請求項3に記載の伝送方法であって、
前記r個のリソースブロックが時間領域の異なるサブフレームに位置する時に、
前記第Aj個目のリソースブロックの位置情報は、周期情報及びオフセット情報を含み、前記周期情報は、前記第Aj個目のリソースブロックの時間領域上での周期を指示用であり、前記オフセット情報は、前記第Aj個目のリソースブロックの時間領域周期中でのオフセットを指示用であり；或いは
前記r個のリソースブロックが周波数領域の異なるサブキャリアに位置する時に、
前記第Aj個目のリソースブロックの位置情報は、時間領域情報及び周波数領域情報を含み、前記時間領域情報は、前記第Aj個目のリソースブロックの時間領域上での周期及びオフセットを指示用であり、前記周波数領域情報は、前記第Aj個目のリソースブロックの周波数領域上での周期及びオフセットを指示用である、伝送方法。
【請求項５】
請求項1に記載の伝送方法であって、
前記リソース要素組が前記r個のリソースブロックに由来する時に、更に前記端末に指示シグナリングを送信することを含み、
前記指示シグナリングは、第三ジョイント・シグナリング及び前記r個のリソースブロックに対応するr個の第三構成シグナリングを含み、
前記第三ジョイント・シグナリングは、トータルのアンテナポート数nの数値、前記r個のリソースブロックのうちの指定リソースブロックの位置情報、前記第Aj個目のリソースブロックと前記指定リソースブロックとの間の相対位置情報、及び前記端末がチャネル状態情報をフィードバック時に想定するデータチャネルの伝送パワー比γjを含み；また、第Aj個目のリソースブロックに対応する第三構成シグナリングは、アンテナポート数mjの数値、及び前記第Aj個目のリソースブロック中の被選リソース要素の所在位置情報を含む、伝送方法。
【請求項６】
請求項5に記載の伝送方法であって、
前記r個のリソースブロックが時間領域の異なるサブフレームに位置する時に、
前記相対位置情報はオフセット情報を含み、前記オフセット情報は、前記第Aj個目のリソースブロックと前記指定リソースブロックとの時間領域上でのオフセットを指示用であり；又は
前記r個のリソースブロックが周波数領域の異なるサブキャリアに位置する時に、
前記第三ジョイント・シグナリングは更に、前記r個のリソースブロックの時間領域上での周期及びオフセットを含み；また、前記相対位置情報はオフセット情報を含み、前記オフセット情報は、前記第Aj個目のリソースブロックと前記指定リソースブロックとの周波数領域上でのオフセットを指示用である、伝送方法。
【請求項７】
請求項1に記載の伝送方法であって、
前記リソース要素組が前記r個のリソースブロックに由来する時に、更に前記端末に指示シグナリングを送信することを含み、
前記r個のリソースブロックが時間領域の異なるサブフレームに位置する時に、前記r個のリソースブロックの時間領域上でのオフセットを予め設定した場合、又は、前記r個のリソースブロックが周波数領域の異なるサブキャリアに位置する時に、前記r個のリソースブロックの周波数領域上でのオフセットを予め設定した場合、前記指示シグナリングは、アンテナポート数mjの数値、トータルのアンテナポート数nの数値、前記r個のリソースブロックのうちの指定リソースブロックの時間領域上での位置情報、及び前記端末がチャネル状態情報をフィードバック時に想定するデータチャネルの伝送パワー比γjを含む、伝送方法。
【請求項８】
請求項1に記載の伝送方法であって、
前記リソース要素組が前記r個のリソースブロックに由来する時に、更に前記端末に指示シグナリングを送信することを含み、
被選リソース要素の各リソースブロック中の位置を予め設定した場合、前記指示シグナリングは第四ジョイント・シグナリング及び前記r個のリソースブロックに対応するr個の第四構成シグナリングを含み、
前記第四ジョイント・シグナリングは、トータルのアンテナポート数nの数値を含み；また、第Aj個目のリソースブロックに対応する第四構成シグナリングは、アンテナポート数mjの数値、前記第Aj個目のリソースブロックの位置情報、及び前記端末がチャネル状態情報をフィードバック時に想定するデータチャネルの伝送パワー比γjを含み；又は
前記第四ジョイント・シグナリングは、トータルのアンテナポート数nの数値、前記r個のリソースブロックのうちの指定リソースブロックの時間領域上での位置情報、前記第Aj個目のリソースブロックと前記指定リソースブロックとの間の相対位置情報、及び前記端末がチャネル状態情報をフィードバック時に想定するデータチャネルの伝送パワー比γjを含み；また、第Aj個目のリソースブロックに対応する第四構成シグナリングは、アンテナポート数mjの数値を含む、伝送方法。
【請求項９】
請求項2〜8の何れか１項に記載の伝送方法であって、
RRCを採用して前記指示シグナリングを送信する、伝送方法。
【請求項１０】
請求項1〜8の何れか１項に記載の伝送方法であって、
前記１つのリソースブロック又は前記r個のリソースブロックから複数のリソース要素を選択し、これにより、nアンテナポートのチャネル状態情報参照信号に対応するリソース要素組を構成することは、
１つの又は２つのリソースブロックから、２組の8アンテナポートのチャネル状態情報参照信号を伝送用のリソース要素を選択し、各組のリソース要素の個数は8であり、これにより、16アンテナポートのチャネル状態情報参照信号に対応するリソース要素組を構成する、伝送方法。
【請求項１１】
請求項10に記載の伝送方法であって、
各前記リソースブロックから、8アンテナポートのチャネル状態情報参照信号を伝送用のリソース要素が複数の組として構成され、そのうち、前記リソースブロックがノーマル・サイクリック・プレフィックス・サブフレームである時に、前記リソース要素が５つの組として構成され、前記リソースブロックが拡張サイクリック・プレフィックス・サブフレームである時に、前記リソース要素が４つの組として構成され、この場合、前記16アンテナポートのチャネル状態情報参照信号に対応するリソース要素組を構成することは、
１つの前記リソースブロックに対応する複数の組のうちの指定の２組を選択し、又は、２つの前記リソースブロックから、第一リソースブロックに対応する複数の組のうちの指定の１組及び第二リソースブロックに対応する複数の組のうちの指定の１組を選択し、これにより、選択された２組のリソース要素を用いて16アンテナポートのチャネル状態情報参照信号に対応するリソース要素組を構成し、そのうち、前記第一リソースブロック及び前記第二リソースブロックは、時間領域の異なるサブフレームに位置し又は周波数領域の異なるサブキャリアに位置することを含む、伝送方法。
【請求項１２】
請求項11に記載の伝送方法であって、
前記リソースブロックがノーマル・サイクリック・プレフィックス・サブフレームである時に、各前記リソースブロックは、周波数領域上で12個のサブキャリアを含み、順に0〜11と記され、時間領域上で14個OFDM符号を含み、順に0〜13と記され、この場合、１つの前記リソースブロックに対応する複数の組のうちの指定の２組を選択し、これにより、選択された２組のリソース要素を用いて16アンテナポートのチャネル状態情報参照信号に対応するリソース要素組を構成することは、
各前記リソースブロックから、周波数領域上で第3、4、9、10個目のサブキャリアに位置し且つ時間領域上で第6、7個目のOFDM符号に位置するリソース要素、及び周波数領域上で第5、6、11、12個目のサブキャリアに位置し且つ時間領域上で第10、11個目のOFDM符号に位置するリソース要素を選択し、これにより、前記リソース要素組を構成し、又は、周波数領域上で第1、2、3、4、7、8、9、10個目のサブキャリアに位置し且つ時間領域上で第10、11個目のOFDM符号に位置するリソース要素を選択し、これにより、前記リソース要素組を構成することを含む、伝送方法。
【請求項１３】
請求項11に記載の伝送方法であって、
前記リソースブロックがノーマル・サイクリック・プレフィックス・サブフレームである時に、各前記リソースブロックは、周波数領域上で12個のサブキャリアを含み、順に0〜11と記され、時間領域上で14個OFDM符号を含み、順に0〜13と記され、
前記第一リソースブロック及び前記第二リソースブロックが時間領域の異なるサブフレームに位置する時に、前記第一リソースブロックに対応する複数の組のうちの指定の１組及び第二リソースブロックに対応する複数の組のうちの指定の１組を選択し、これにより、選択された２組のリソース要素を用いて16アンテナポートのチャネル状態情報参照信号に対応するリソース要素組を構成することは、
前記第一リソースブロックから、周波数領域上で第3、4、9、10個目のサブキャリアに位置し且つ時間領域上で第6、7個目のOFDM符号に位置するリソース要素を選択し、前記第二リソースブロックから、周波数領域上で第5、6、11、12個目のサブキャリアに位置し且つ時間領域上で第10、11個目のOFDM符号に位置するリソース要素を選択し、これにより、前記リソース要素組を構成し；又は
前記第一リソースブロックから、周波数領域上で第5、6、11、12個目のサブキャリアに位置し且つ時間領域上で第10、11個目のOFDM符号に位置するリソース要素を選択し、前記第二リソースブロックから、周波数領域上で第3、4、9、10個目のサブキャリアに位置し且つ時間領域上で第10、11個目のOFDM符号に位置するリソース要素を選択し、これにより、前記リソース要素組を構成し；又は
前記第一リソースブロックから、周波数領域上で第3、4、9、10個目のサブキャリアに位置し且つ時間領域上で第10、11個目のOFDM符号に位置するリソース要素を選択し、前記第二リソースブロックから、周波数領域上で第1、2、7、8個目のサブキャリアに位置し且つ時間領域上で第10、11個目のOFDM符号に位置するリソース要素を選択、これにより、前記リソース要素組を構成し；又は
前記第一リソースブロックから、周波数領域上で第1、2、7、8個目のサブキャリアに位置し且つ時間領域上で第10、11個目のOFDM符号に位置するリソース要素を選択し、前記第二リソースブロックから、周波数領域上で第3、4、9、10個目のサブキャリアに位置し且つ時間領域上で第13、14個目のOFDM符号に位置するリソース要素を選択し、これにより、前記リソース要素組を構成し；又は
前記第一リソースブロックから、周波数領域上で第3、4、9、10個目のサブキャリアに位置し且つ時間領域上で第13、14個目のOFDM符号に位置するリソース要素を選択し、前記第二リソースブロックから、周波数領域上で第3、4、9、10個目のサブキャリアに位置し且つ時間領域上で第6、7個目のOFDM符号に位置するリソース要素を選択し、これにより、前記リソース要素組を構成することを含む、伝送方法。
【請求項１４】
請求項11に記載の伝送方法であって、
前記リソースブロックがノーマル・サイクリック・プレフィックス・サブフレームである時に、各前記リソースブロックは、周波数領域上で12個のサブキャリアを含み、順に0〜11と記され、時間領域上で14個OFDM符号を含み、順に0〜13と記され、
前記第一リソースブロック及び前記第二リソースブロックが周波数領域の異なるサブキャリアに位置する時に、前記第一リソースブロックに対応する複数の組のうちの指定の１組及び第二リソースブロックに対応する複数の組のうちの指定の１組を選択し、これにより、選択された２組のリソース要素を用いて16アンテナポートのチャネル状態情報参照信号に対応するリソース要素組を構成することは、
前記第一リソースブロックから、周波数領域上で第3、4、9、10個目のサブキャリアに位置し且つ時間領域上で第6、7個目のOFDM符号に位置するリソース要素を選択し、前記第二リソースブロックから、周波数領域上で第3、4、9、10個目のサブキャリアに位置し且つ時間領域上で第6、7個目のOFDM符号に位置するリソース要素を選択し、これにより、前記リソース要素組を構成し；又は
前記第一リソースブロックから、周波数領域上で第5、6、11、12個目のサブキャリアに位置し且つ時間領域上で第10、11個目のOFDM符号に位置するリソース要素を選択し、前記第二リソースブロックから、周波数領域上で第5、6、11、12個目のサブキャリアに位置し且つ時間領域上で第10、11個目のOFDM符号に位置するリソース要素を選択し、これにより、前記リソース要素組を構成し；又は
前記第一リソースブロックから、周波数領域上で第3、4、9、10個目のサブキャリアに位置し且つ時間領域上で第10、11個目のOFDM符号に位置するリソース要素を選択し、前記第二リソースブロックから、周波数領域上で第3、4、9、10個目のサブキャリアに位置し且つ時間領域上で第10、11個目のOFDM符号に位置するリソース要素を選択し、これにより、前記リソース要素組を構成し；又は
前記第一リソースブロックから、周波数領域上で第1、2、7、8個目のサブキャリアに位置し且つ時間領域上で第10、11個目のOFDM符号に位置するリソース要素を選択し、前記第二リソースブロックから、周波数領域上で第1、2、7、8個目のサブキャリアに位置し且つ時間領域上で第10、11個目のOFDM符号に位置するリソース要素を選択、これにより、前記リソース要素組を構成し；又は
前記第一リソースブロックから、周波数領域上で第3、4、9、10個目のサブキャリアに位置し且つ時間領域上で第13、14個目のOFDM符号に位置するリソース要素を選択し、前記第二リソースブロックから、周波数領域上で第3、4、9、10個目のサブキャリアに位置し且つ時間領域上で第13、14個目のOFDM符号に位置するリソース要素を選択し、これにより、前記リソース要素組を構成することを含む、伝送方法。
【請求項１５】
請求項10に記載の伝送方法であって、更に
各前記リソースブロックから、8アンテナポートのチャネル状態情報参照信号を伝送用のリソース要素以外の他のリソース要素を選択し、これにより、選択された8アンテナポートのチャネル状態情報参照信号を伝送用のリソース要素及び／又は前記他のリソース要素を用いて前記リソース要素組を構成することを含み、
前記リソースブロックがノーマル・サイクリック・プレフィックス・サブフレームである場合、各前記リソースブロックは、周波数領域上で12個のサブキャリアを含み、順に0〜11と記され、時間領域上で14個OFDM符号を含み、順に0〜13と記され、この場合、各前記リソースブロックから、選択時間領域上で第3、4個目のOFDM符号に位置する全てのリソース要素、及び周波数領域上で第5、8個目のサブキャリアに位置し且つ時間領域上で第6、7、13、14個目のOFDM符号に位置するリソース要素を、前記他のリソース要素として選択し；又は
前記リソースブロックが拡張サイクリック・プレフィックス・サブフレームである場合、各前記リソースブロックは、周波数領域上で12個のサブキャリアを含み、順に0〜11と記され、時間領域上で12個のOFDM符号を含み、順に0〜11と記され、この場合、各前記リソースブロックから、時間領域上で第2、3、8、9個目のOFDM符号に位置する全てのリソース要素を、前記他のリソース要素として選択する、伝送方法。
【請求項１６】
請求項15に記載の伝送方法であって、
前記リソースブロックがノーマル・サイクリック・プレフィックス・サブフレームである時に、
各前記リソースブロックから、周波数領域上で第5、6、11、12個目のサブキャリアに位置し且つ時間領域上で第3、4個目のOFDM符号に位置するリソース要素、及び周波数領域上で第3、4、9、10個目のサブキャリアに位置し且つ時間領域上で第10、11個目のOFDM符号に位置するリソース要素を選択し、これにより、前記リソース要素組を構成し；又は
各前記リソースブロックから、周波数領域上で第3、4、9、10個目のサブキャリアに位置し且つ時間領域上で第3、4個目のOFDM符号に位置するリソース要素、及び周波数領域上で第1、2、7、8個目のサブキャリアに位置し且つ時間領域上で第10、11個目のOFDM符号に位置するリソース要素を選択し、これにより、前記リソース要素組を構成し；又は
各前記リソースブロックから、周波数領域上で第1、2、7、8個目のサブキャリアに位置し且つ時間領域上で第3、4個目のOFDM符号に位置するリソース要素、及び周波数領域上で第3、4、9、10個目のサブキャリアに位置し且つ時間領域上で第13、14個目のOFDM符号に位置するリソース要素を選択し、これにより、前記リソース要素組を構成し；又は
各前記リソースブロックから、周波数領域上で第3、4、9、10個目のサブキャリアに位置し且つ時間領域上で第6、7個目のOFDM符号に位置するリソース要素、及び周波数領域上で第5、6、11、12個目のサブキャリアに位置し且つ時間領域上で第10、11個目のOFDM符号に位置するリソース要素を選択し、これにより、前記リソース要素組を構成することを含み、或いは
前記リソースブロックが拡張サイクリック・プレフィックス・サブフレームである時に、
各前記リソースブロックから、周波数領域上で第3、6、9、12個目のサブキャリアに位置し且つ時間領域上で第5、6個目のOFDM符号に位置するリソース要素、及び周波数領域上で第2、5、8、11個目のサブキャリアに位置し且つ時間領域上で第8、9個目のOFDM符号に位置するリソース要素を選択し、これにより、前記リソース要素組を構成し；又は
各前記リソースブロックから、周波数領域上で第1、4、7、10個目のサブキャリアに位置し且つ時間領域上で第5、6個目のOFDM符号に位置するリソース要素、及び周波数領域上で第1、4、7、10個目のサブキャリアに位置し且つ時間領域上で第11、12個目のOFDM符号に位置するリソース要素を選択し、これにより、前記リソース要素組を構成し；又は
各前記リソースブロックから、周波数領域上で第3、6、9、12個目のサブキャリアに位置し且つ時間領域上で第8、9個目のOFDM符号に位置するリソース要素、及び周波数領域上で第2、5、8、11個目のサブキャリアに位置し且つ時間領域上で第11、12個目のOFDM符号に位置するリソース要素を選択し、これにより、前記リソース要素組を構成することを含む、伝送方法。
【請求項１７】
チャネル状態情報参照信号の伝送方法であって、
nアンテナポートのチャネル状態情報参照信号を受信することを含み、
前記nアンテナポートのチャネル状態情報参照信号は、
１つのリソースブロックから選択されたs組のリソース要素により構成されたリソース要素組により伝送され、そのうち、第Ai組のリソース要素は、miアンテナポートのチャネル状態情報参照信号を伝送するためであり、また、s＞1、n＞mi、1≦i≦sであり、又は
r個のリソースブロックのうちの第Aj個目のリソースブロックから選択された少なくとも１つの、mjアンテナポートのチャネル状態情報参数信号を伝送するためのリソース要素であって、全ての選択されたリソース要素により構成されたリソース要素組により伝送され、また、r＞1、n＞mj、1≦j≦rである、伝送方法。
【請求項１８】
請求項17に記載の伝送方法であって、
前記リソース要素組が前記１つのリソースブロックに由来する時に、更に指示シグナリングを受信することを含み、
前記指示シグナリングは、第一ジョイント・シグナリング及び前記s組のリソース要素に対応するs個の第一構成シグナリングを含み、
前記第一ジョイント・シグナリングは、トータルのアンテナポート数nの数値、前記１つのリソースブロックの時間領域上での周期及び時間領域周期中でのオフセット、及び前記指示シグナリングの受信側がチャネル状態情報をフィードバックする時に想定するデータチャネルの伝送パワー比γiを含み；また、第Ai組のリソース要素に対応する第一構成シグナリングは、アンテナポート数mi、及び前記第Ai組のリソース要素の前記１つのリソースブロック中での位置を含む、伝送方法。
【請求項１９】
請求項17に記載の伝送方法であって、
前記リソース要素組が前記r個のリソースブロックに由来する時に、更に指示シグナリングを受信することを含み、
前記指示シグナリングは、第二ジョイント・シグナリング及び前記r個のリソースブロックに対応するr個の第二構成シグナリングを含み、
前記第二ジョイント・シグナリングは、トータルのアンテナポート数nの数値を含み；また、第Aj個目のリソースブロックに対応する第二構成シグナリングは、アンテナポート数mjの数値、前記第Aj個目のリソースブロック中の被選リソース要素の所在位置情報、前記第Aj個目のリソースブロックの位置情報、及び前記指示シグナリングの受信側がチャネル状態情報をフィードバックする時に想定するデータチャネルの伝送パワー比γjを含む、伝送方法。
【請求項２０】
請求項19に記載の伝送方法であって、
前記r個のリソースブロックが時間領域の異なるサブフレームに位置する時に、
前記第Aj個目のリソースブロックの位置情報は、周期情報及びオフセット情報を含み、前記周期情報は、前記第Aj個目のリソースブロックの時間領域上での周期を指示用であり、前記オフセット情報は、前記第Aj個目のリソースブロックの時間領域周期中でのオフセットを指示用であり；或いは
前記r個のリソースブロックが周波数領域の異なるサブキャリアに位置する時に、
前記第Aj個目のリソースブロックの位置情報は、時間領域情報及び周波数領域情報を含み、前記時間領域情報は、前記第Aj個目のリソースブロックの時間領域上での周期及びオフセットを指示用であり、前記周波数領域情報は、前記第Aj個目のリソースブロックの周波数領域上での周期及びオフセットを指示用である、伝送方法。
【請求項２１】
請求項17に記載の伝送方法であって、
前記リソース要素組が前記r個のリソースブロックに由来する時に、更に指示シグナリングを受信することを含み、
前記示シグナリングは、第三ジョイント・シグナリング及び前記r個のリソースブロックに対応するr個の第三構成シグナリングを含み、
前記第三ジョイント・シグナリングは、トータルのアンテナポート数nの数値、前記r個のリソースブロックのうちの指定リソースブロックの位置情報、前記第Aj個目のリソースブロックと前記指定リソースブロックとの間の相対位置情報、及び前記指示シグナリングの受信側がチャネル状態情報をフィードバックする時に想定するデータチャネルの伝送パワー比γjを含み；また、第Aj個目のリソースブロックに対応する第三構成シグナリングは、アンテナポート数mjの数値及び前記第Aj個目のリソースブロック中の被選リソース要素の所在位置情報を含む、伝送方法。
【請求項２２】
請求項21に記載の伝送方法であって、
前記r個のリソースブロックが時間領域の異なるサブフレームに位置する時に、
前記相対位置情報はオフセット情報を含み、前記オフセット情報は、前記第Aj個目のリソースブロックと前記指定リソースブロックとの時間領域上でのオフセットを指示用であり；或いは
前記r個のリソースブロックが周波数領域の異なるサブキャリアに位置する時に、
前記第三ジョイント・シグナリングは更に、前記r個のリソースブロックの時間領域上での周期及びオフセットを含み；また、前記相対位置情報はオフセット情報を含み、前記オフセット情報は、前記第Aj個目のリソースブロックと前記指定リソースブロックとの周波数領域上でのオフセットを指示用である、伝送方法。
【請求項２３】
請求項17に記載の伝送方法であって、
前記リソース要素組が前記r個のリソースブロックに由来する時に、更に指示シグナリングを受信することを含み、
前記r個のリソースブロックが時間領域の異なるサブフレームに位置する時に、前記r個のリソースブロックの時間領域上でのオフセットを予め設定した場合、或いは、前記r個のリソースブロックが周波数領域の異なるサブキャリアに位置する時に、前記r個のリソースブロックの周波数領域上でのオフセットを予め設定した場合、前記指示シグナリングは、アンテナポート数mjの数値、トータルのアンテナポート数nの数値、前記r個のリソースブロックのうちの指定リソースブロックの時間領域上での位置情報、及び前記指示シグナリングの受信側がチャネル状態情報をフィードバックする時に想定するデータチャネルの伝送パワー比γjを含む、伝送方法。
【請求項２４】
請求項17に記載の伝送方法であって、
前記リソース要素組が前記r個のリソースブロックに由来する時に、更に指示シグナリングを受信することを含み、
被選リソース要素の各リソースブロック中での位置を予め設定した場合、前記指示シグナリングは、第四ジョイント・シグナリング及び前記r個のリソースブロックに対応するr個の第四構成シグナリングを含み、
前記第四ジョイント・シグナリングは、トータルのアンテナポート数nの数値を含み；また、第Aj個目のリソースブロックに対応する第四構成シグナリングは、アンテナポート数mjの数値、前記第Aj個目のリソースブロックの位置情報、及び前記端末がチャネル状態情報をフィードバック時に想定するデータチャネルの伝送パワー比γjを含み；又は
前記第四ジョイント・シグナリングは、トータルのアンテナポート数nの数値、前記r個のリソースブロックのうちの指定リソースブロックの時間領域上での位置情報、前記第Aj個目のリソースブロックと前記指定リソースブロックとの間の相対位置情報、及び前記指示シグナリングの受信側がチャネル状態情報をフィードバックする時に想定するデータチャネルの伝送パワー比γjをを含み；また、第Aj個目のリソースブロックに対応する第四構成シグナリングは、アンテナポート数mjの数値を含む、伝送方法。
【請求項２５】
請求項17〜24の何れか１項に記載の伝送方法であって、
受信した前記指示シグナリングは、RRCにより伝送されるものである、伝送方法。
【請求項２６】
請求項16〜24の何れか１項に記載の伝送方法であって、
前記nアンテナポートのチャネル状態情報参照信号は、16アンテナポートのチャネル状態情報参照信号であり、また、該16アンテナポートのチャネル状態情報参照信号は、１つ又は２つのリソースブロックから選択された２組の8アンテナポートのチャネル状態情報参照信号を伝送用のリソース要素により構成されたリソース要素組により伝送ｓれたものであり、選択された各組のリソース要素の個数は8である、伝送方法。
【請求項２７】
請求項26に記載の伝送方法であって、
各前記リソースブロックにおいて、8アンテナポートのチャネル状態情報参照信号を伝送用のリソース要素が複数の組として構成され、前記リソースブロックがノーマル・サイクリック・プレフィックス・サブフレームである時に、前記リソース要素が５つの組として構成され、前記リソースブロックが拡張サイクリック・プレフィックス・サブフレームである時に、前記リソース要素が４つの組として構成され、この場合、前記16アンテナポートのチャネル状態情報参照信号に対応するリソース要素組を構成することは、
１つの前記リソースブロックに対応する複数の組のうちの指定の２組を選択し、又は、２つの前記リソースブロックから、第一リソースブロックに対応する複数の組のうちの指定の１組及び第二リソースブロックに対応する複数の組のうちの指定の１組を選択し、これにより、選択された２組のリソース要素を用いて16アンテナポートのチャネル状態情報参照信号に対応するリソース要素組を構成することを含み、
前記第一リソースブロック及び前記第二リソースブロックは、時間領域の異なるサブフレームに位置し又は周波数領域の異なるサブキャリアに位置する、伝送方法。
【請求項２８】
請求項27に記載の伝送方法であって、
前記リソースブロックがノーマル・サイクリック・プレフィックス・サブフレームである時に、各前記リソースブロックは、周波数領域上で12個のサブキャリアを含み、順に0〜11と記され、時間領域上で14個OFDM符号を含み、順に0〜13と記され、この場合、前記１つの前記リソースブロックに対応する複数の組のうちの指定の２組を選択し、これにより、選択された２組のリソース要素を用いて16アンテナポートのチャネル状態情報参照信号に対応するリソース要素組を構成することは、、
各前記リソースブロックから、周波数領域上で第3、4、9、10個目のサブキャリアに位置し且つ時間領域上で第6、7個目のOFDM符号に位置するリソース要素、及び周波数領域上で第5、6、11、12個目のサブキャリアに位置し且つ時間領域上で第10、11個目のOFDM符号に位置するリソース要素を選択し、これにより、前記リソース要素組を構成し、又は、周波数領域上で第1、2、3、4、7、8、9、10個目のサブキャリアに位置し且つ時間領域上で第10、11個目のOFDM符号に位置するリソース要素を選択し、これにより、前記リソース要素組を構成することを含む、伝送方法。
【請求項２９】
請求項27に記載の伝送方法であって、
前記リソースブロックがノーマル・サイクリック・プレフィックス・サブフレームである時に、各前記リソースブロックは、周波数領域上で12個のサブキャリアを含み、順に0〜11と記され、時間領域上で14個OFDM符号を含み、順に0〜13と記され、
前記第一リソースブロック及び前記第二リソースブロックが時間領域の異なるサブフレームに位置する時に、前記第一リソースブロックに対応する複数の組のうちの指定の１組及び第二リソースブロックに対応する複数の組のうちの指定の１組を選択し、これにより、選択された２組のリソース要素を用いて16アンテナポートのチャネル状態情報参照信号に対応するリソース要素組を構成することは、
前記第一リソースブロックから、周波数領域上で第3、4、9、10個目のサブキャリアに位置し且つ時間領域上で第6、7個目のOFDM符号に位置するリソース要素を選択し、前記第二リソースブロックから、周波数領域上で第5、6、11、12個目のサブキャリアに位置し且つ時間領域上で第10、11個目のOFDM符号に位置するリソース要素を選択し、これにより、前記リソース要素組を構成し；又は
前記第一リソースブロックから、周波数領域上で第5、6、11、12個目のサブキャリアに位置し且つ時間領域上で第10、11個目のOFDM符号に位置するリソース要素を選択し、前記第二リソースブロックから、周波数領域上で第3、4、9、10個目のサブキャリアに位置し且つ時間領域上で第10、11個目のOFDM符号に位置するリソース要素を選択し、これにより、前記リソース要素組を構成し；又は
前記第一リソースブロックから、周波数領域上で第3、4、9、10個目のサブキャリアに位置し且つ時間領域上で第10、11個目のOFDM符号に位置するリソース要素を選択し、前記第二リソースブロックから、周波数領域上で第1、2、7、8個目のサブキャリアに位置し且つ時間領域上で第10、11個目のOFDM符号に位置するリソース要素を選択、これにより、前記リソース要素組を構成し；又は
前記第一リソースブロックから、周波数領域上で第1、2、7、8個目のサブキャリアに位置し且つ時間領域上で第10、11個目のOFDM符号に位置するリソース要素を選択し、前記第二リソースブロックから、周波数領域上で第3、4、9、10個目のサブキャリアに位置し且つ時間領域上で第13、14個目のOFDM符号に位置するリソース要素を選択し、これにより、前記リソース要素組を構成し；又は
前記第一リソースブロックから、周波数領域上で第3、4、9、10個目のサブキャリアに位置し且つ時間領域上で第13、14個目のOFDM符号に位置するリソース要素を選択し、前記第二リソースブロックから、周波数領域上で第3、4、9、10個目のサブキャリアに位置し且つ時間領域上で第6、7個目のOFDM符号に位置するリソース要素を選択し、これにより、前記リソース要素組を構成することを含む、伝送方法。
【請求項３０】
請求項27に記載の伝送方法であって、
前記リソースブロックがノーマル・サイクリック・プレフィックス・サブフレームである時に、各前記リソースブロックは、周波数領域上で12個のサブキャリアを含み、順に0〜11と記され、時間領域上で14個OFDM符号を含み、順に0〜13と記され、
前記第一リソースブロック及び前記第二リソースブロックが周波数領域の異なるサブキャリアに位置する時に、前記第一リソースブロックに対応する複数の組のうちの指定の１組及び第二リソースブロックに対応する複数の組のうちの指定の１組を選択し、これにより、選択された２組のリソース要素を用いて16アンテナポートのチャネル状態情報参照信号に対応するリソース要素組を構成することは、
前記第一リソースブロックから、周波数領域上で第3、4、9、10個目のサブキャリアに位置し且つ時間領域上で第6、7個目のOFDM符号に位置するリソース要素を選択し、前記第二リソースブロックから、周波数領域上で第3、4、9、10個目のサブキャリアに位置し且つ時間領域上で第6、7個目のOFDM符号に位置するリソース要素を選択し、これにより、前記リソース要素組を構成し；又は
前記第一リソースブロックから、周波数領域上で第5、6、11、12個目のサブキャリアに位置し且つ時間領域上で第10、11個目のOFDM符号に位置するリソース要素を選択し、前記第二リソースブロックから、周波数領域上で第5、6、11、12個目のサブキャリアに位置し且つ時間領域上で第10、11個目のOFDM符号に位置するリソース要素を選択し、これにより、前記リソース要素組を構成し；又は
前記第一リソースブロックから、周波数領域上で第3、4、9、10個目のサブキャリアに位置し且つ時間領域上で第10、11個目のOFDM符号に位置するリソース要素を選択し、前記第二リソースブロックから、周波数領域上で第3、4、9、10個目のサブキャリアに位置し且つ時間領域上で第10、11個目のOFDM符号に位置するリソース要素を選択し、これにより、前記リソース要素組を構成し；又は
前記第一リソースブロックから、周波数領域上で第1、2、7、8個目のサブキャリアに位置し且つ時間領域上で第10、11個目のOFDM符号に位置するリソース要素を選択し、前記第二リソースブロックから、周波数領域上で第1、2、7、8個目のサブキャリアに位置し且つ時間領域上で第10、11個目のOFDM符号に位置するリソース要素を選択、これにより、前記リソース要素組を構成し；又は
前記第一リソースブロックから、周波数領域上で第3、4、9、10個目のサブキャリアに位置し且つ時間領域上で第13、14個目のOFDM符号に位置するリソース要素を選択し、前記第二リソースブロックから、周波数領域上で第3、4、9、10個目のサブキャリアに位置し且つ時間領域上で第13、14個目のOFDM符号に位置するリソース要素を選択し、これにより、前記リソース要素組を構成することを含む、伝送方法。
【請求項３１】
請求項26に記載の伝送方法であって、更に
各前記リソースブロックから、8アンテナポートのチャネル状態情報参照信号を伝送用のリソース要素以外の他のリソース要素を選択し、これにより、選択された8アンテナポートのチャネル状態情報参照信号を伝送用のリソース要素及び／又は前記他のリソース要素を用いて前記リソース要素組を構成することを含み、
前記リソースブロックがノーマル・サイクリック・プレフィックス・サブフレームである場合、各前記リソースブロックが、周波数領域上で12個のサブキャリアを含み、順に0〜11と記され、時間領域上で14個OFDM符号を含み、順に0〜13と記され、各前記リソースブロックから、選択時間領域上で第3、4個目のOFDM符号に位置する全てのリソース要素、及び周波数領域上で第5、8個目のサブキャリアに位置し且つ時間領域上で第6、7、13、14個目のOFDM符号に位置するリソース要素が、前記他のリソース要素として選択され；或いは
前記リソースブロックが拡張サイクリック・プレフィックス・サブフレームである場合、各前記リソースブロックが、周波数領域上で12個のサブキャリアを含み、順に0〜11と記され、時間領域上で12個のOFDM符号を含み、順に0〜11と記され、この場合、各前記リソースブロックから、選択時間領域上で第2、3、8、9個目のOFDM符号に位置する全てのリソース要素が、前記他のリソース要素として選択される、伝送方法。
【請求項３２】
請求項31に記載の伝送方法であって、
前記リソースブロックがノーマル・サイクリック・プレフィックス・サブフレームである時に、
各前記リソースブロックから、周波数領域上で第5、6、11、12個目のサブキャリアに位置し且つ時間領域上で第3、4個目のOFDM符号に位置するリソース要素、及び周波数領域上で第3、4、9、10個目のサブキャリアに位置し且つ時間領域上で第10、11個目のOFDM符号に位置するリソース要素を選択し、これにより、前記リソース要素組を構成し；又は
各前記リソースブロックから、周波数領域上で第3、4、9、10個目のサブキャリアに位置し且つ時間領域上で第3、4個目のOFDM符号に位置するリソース要素、及び周波数領域上で第1、2、7、8個目のサブキャリアに位置し且つ時間領域上で第10、11個目のOFDM符号に位置するリソース要素を選択し、これにより、前記リソース要素組を構成し；又は
各前記リソースブロックから、周波数領域上で第1、2、7、8個目のサブキャリアに位置し且つ時間領域上で第3、4個目のOFDM符号に位置するリソース要素、及び周波数領域上で第3、4、9、10個目のサブキャリアに位置し且つ時間領域上で第13、14個目のOFDM符号に位置するリソース要素を選択し、これにより、前記リソース要素組を構成し；又は
各前記リソースブロックから、周波数領域上で第3、4、9、10個目のサブキャリアに位置し且つ時間領域上で第6、7個目のOFDM符号に位置するリソース要素、及び周波数領域上で第5、6、11、12個目のサブキャリアに位置し且つ時間領域上で第10、11個目のOFDM符号に位置するリソース要素を選択し、これにより、前記リソース要素組を構成することを含み、或いは
前記リソースブロックが拡張サイクリック・プレフィックス・サブフレームである時に、
各前記リソースブロックから、周波数領域上で第3、6、9、12個目のサブキャリアに位置し且つ時間領域上で第5、6個目のOFDM符号に位置するリソース要素、及び周波数領域上で第2、5、8、11個目のサブキャリアに位置し且つ時間領域上で第8、9個目のOFDM符号に位置するリソース要素を選択し、これにより、前記リソース要素組を構成し；又は
各前記リソースブロックから、周波数領域上で第1、4、7、10個目のサブキャリアに位置し且つ時間領域上で第5、6個目のOFDM符号に位置するリソース要素、及び周波数領域上で第1、4、7、10個目のサブキャリアに位置し且つ時間領域上で第11、12個目のOFDM符号に位置するリソース要素を選択し、これにより、前記リソース要素組を構成し；又は
各前記リソースブロックから、周波数領域上で第3、6、9、12個目のサブキャリアに位置し且つ時間領域上で第8、9個目のOFDM符号に位置するリソース要素、及び周波数領域上で第2、5、8、11個目のサブキャリアに位置し且つ時間領域上で第11、12個目のOFDM符号に位置するリソース要素を選択し、これにより、前記リソース要素組を構成することを含む、伝送方法。
【請求項３３】
基地局であって、
１つのリソースブロックからs組のリソース要素を選択するためのデータ処理モジュールであって、第Ai組のリソース要素は、miアンテナポートのチャネル状態情報参照信号を伝送用のリソース要素であり、これにより、nアンテナポートのチャネル状態情報参照信号に対応するリソース要素組を構成し、s＞1、n＞mi、1≦i≦sであり、或いは、r個のリソースブロックのうちの第Aj個目のリソースブロックから少なくとも１つの、mjアンテナポートのチャネル状態情報参数信号を伝送するためのリソース要素を選択し、全ての選択されたリソース要素を用いてnアンテナポートのチャネル状態情報参照信号に対応するリソース要素組を構成し、r＞1、n＞mj、1≦j≦rである、データ処理モジュール；及び
前記リソース要素組により、前記nアンテナポートのチャネル状態情報参照信号を１つ又は複数の端末に伝送するためのデータ伝送モジュールを含む、基地局。
【請求項３４】
請求項33に記載の基地局であって、
前記リソース要素組が前記１つのリソースブロックに由来する時に、前記データ伝送モジュールは更に前記端末に指示シグナリングを送信し、前記指示シグナリングは第一ジョイント・シグナリング及び前記s組のリソース要素に対応するs個の第一構成シグナリングを含み、
前記第一ジョイント・シグナリングは、トータルのアンテナポート数nの数値、前記１つのリソースブロックの時間領域上での周期及び時間領域周期中でのオフセット、及び前記端末がチャネル状態情報をフィードバック時に想定するデータチャネルの伝送パワー比γiを含み；また、第Ai組のリソース要素に対応する第一構成シグナリングは、アンテナポート数mi、及び前記第Ai組のリソース要素の前記１つのリソースブロック中での位置を含む、基地局。
【請求項３５】
請求項33に記載の基地局であって、
前記リソース要素組が前記r個のリソースブロックに由来する時に、前記データ伝送モジュールは更に前記端末に指示シグナリングを送信し、前記指示シグナリングは、第二ジョイント・シグナリング及び前記r個のリソースブロックに対応するr個の第二構成シグナリングを含み、
前記第二ジョイント・シグナリングは、トータルのアンテナポート数nの数値を含み；また、第Aj個目のリソースブロックに対応する第二構成シグナリングは、アンテナポート数mjの数値、前記第Aj個目のリソースブロック中の被選リソース要素の所在位置情報、前記第Aj個目のリソースブロックの位置情報、及び前記端末がチャネル状態情報をフィードバック時に想定するデータチャネルの伝送パワー比γjを含む、基地局。
【請求項３６】
請求項35に記載の基地局であって、
前記r個のリソースブロックが時間領域の異なるサブフレームに位置する時に、
前記第Aj個目のリソースブロックの位置情報は、周期情報及びオフセット情報を含み、前記周期情報は、前記第Aj個目のリソースブロックの時間領域上での周期を指示用であり、前記オフセット情報は、前記第Aj個目のリソースブロックの時間領域周期中でのオフセットを指示用であり；或いは
前記r個のリソースブロックが周波数領域の異なるサブキャリアに位置する時に、
前記第Aj個目のリソースブロックの位置情報は、時間領域情報及び周波数領域情報を含み、前記時間領域情報は、前記第Aj個目のリソースブロックの時間領域上での周期及びオフセットを指示用であり、前記周波数領域情報は、前記第Aj個目のリソースブロックの周波数領域上での周期及びオフセットを指示用である、基地局。
【請求項３７】
請求項33に記載の基地局であって、
前記リソース要素組が前記r個のリソースブロックに由来する時に、前記データ伝送モジュールは更に前記端末に指示シグナリングを送信し、前記指示シグナリングは第三ジョイント・シグナリング及び前記r個のリソースブロックに対応するr個の第三構成シグナリングを含み、
前記第三ジョイント・シグナリングは、トータルのアンテナポート数nの数値、前記r個のリソースブロックのうちの指定リソースブロックの位置情報、前記第Aj個目のリソースブロックと前記r個のリソースブロックのうちの指定リソースブロックとの間の相対位置情報、及び前記端末がチャネル状態情報をフィードバック時に想定するデータチャネルの伝送パワー比γjを含み；また、第Aj個目のリソースブロックに対応する第三構成シグナリングは、アンテナポート数mjの数値、及び前記第Aj個目のリソースブロック中の被選リソース要素の所在位置情報を含む、基地局。
【請求項３８】
請求項37に記載の基地局であって、
前記r個のリソースブロックが時間領域の異なるサブフレームに位置する時に、
前記相対位置情報はオフセット情報を含み、前記オフセット情報は、前記第Aj個目のリソースブロックと前記指定リソースブロックとの時間領域上でのオフセットを指示用であり；或いは
前記r個のリソースブロックが周波数領域の異なるサブキャリアに位置する時に、
前記第三ジョイント・シグナリングは更に、前記r個のリソースブロックの時間領域上での周期及びオフセットを含み、また、前記相対位置情報はオフセット情報を含み、前記オフセット情報は、前記第Aj個目のリソースブロックと前記指定リソースブロックとの周波数領域上でのオフセットを指示用である、基地局。
【請求項３９】
請求項33に記載の基地局であって、更に
第一前設定モジュールを含み、
第一前設定モジュールは、前記r個のリソースブロックが時間領域の異なるサブフレームに位置する時に、前記r個のリソースブロックの時間領域上でのオフセットを予め設定し、或いは、前記r個のリソースブロックが周波数領域の異なるサブキャリアに位置する時に、前記r個のリソースブロックの周波数領域上でのオフセットを予め設定し、
前記リソース要素組が前記r個のリソースブロックに由来する時に、前記データ伝送モジュールは更に前記端末に指示シグナリングを送信し、前記指示シグナリングは、アンテナポート数mjの数値、トータルのアンテナポート数nの数値、前記r個のリソースブロックのうちの指定リソースブロックの時間領域上での位置情報、及び前記端末がチャネル状態情報をフィードバック時に想定するデータチャネルの伝送パワー比γjを含む、基地局。
【請求項４０】
請求項33に記載の基地局であって、更に
第二前設定モジュールを含み、
前記第二前設定モジュールは、被選リソース要素の各リソースブロック中での位置を予め設定し、
前記リソース要素組が前記r個のリソースブロックに由来する時に、前記データ伝送モジュールは更に前記端末に指示シグナリングを送信し、前記指示シグナリングは、第四ジョイント・シグナリング及び前記r個のリソースブロックに対応するr個の第四構成シグナリングを含み、
前記第四ジョイント・シグナリングは、トータルのアンテナポート数nの数値を含み；また、第Aj個目のリソースブロックに対応する第四構成シグナリングは、アンテナポート数mjの数値、前記第Aj個目のリソースブロックの位置情報、及び前記端末がチャネル状態情報をフィードバック時に想定するデータチャネルの伝送パワー比γjを含み；又は
前記第四ジョイント・シグナリングは、トータルのアンテナポート数nの数値、前記r個のリソースブロックのうちの指定リソースブロックの時間領域上での位置情報、前記第Aj個目のリソースブロックと前記指定リソースブロックとの間の相対位置情報、及び前記端末がチャネル状態情報をフィードバック時に想定するデータチャネルの伝送パワー比γjを含み；また、第Aj個目のリソースブロックに対応する第四構成シグナリングは、アンテナポート数mjの数値を含む、基地局。
【請求項４１】
請求項34〜40の何れか１項に記載の基地局であって、
RRCを採用して前記指示シグナリングを送信する、基地局。
【請求項４２】
請求項33〜40の何れか１項に記載の基地局であって、
前記データ処理モジュールは、１つ又は２つのリソースブロックから、２組の8アンテナポートのチャネル状態情報参照信号を伝送用のリソース要素を選択し、各組のリソース要素の個数は8であり、これにより、16アンテナポートのチャネル状態情報参照信号に対応するリソース要素組を構成する、基地局。
【請求項４３】
請求項42に記載の基地局であって、
各前記リソースブロックにおいて、8アンテナポートのチャネル状態情報参照信号を伝送用のリソース要素が複数の組として構成され、前記リソースブロックがノーマル・サイクリック・プレフィックス・サブフレームである時に、前記リソース要素が５つの組として構成され、前記リソースブロックが拡張サイクリック・プレフィックス・サブフレームである時に、前記リソース要素が４つの組として構成され、この場合、前記データ処理モジュールは、
１つの前記リソースブロックに対応する複数の組のうちの指定の２組を選択し、又は、２つの前記リソースブロックから、第一リソースブロックに対応する複数の組のうちの指定の１組及び第二リソースブロックに対応する複数の組のうちの指定の１組を選択し、これにより、選択された２組のリソース要素を用いて16アンテナポートのチャネル状態情報参照信号に対応するリソース要素組を構成するようにさせるために用いられ、
前記第一リソースブロック及び前記第二リソースブロックは、時間領域の異なるサブフレームに位置し又は周波数領域の異なるサブキャリアに位置する、基地局。
【請求項４４】
請求項43に記載の基地局であって、
前記リソースブロックがノーマル・サイクリック・プレフィックス・サブフレームである時に、各前記リソースブロックが、周波数領域上で12個のサブキャリアを含み、順に0〜11と記され、時間領域上で14個OFDM符号を含み、順に0〜13と記され、そのうち、前記データ処理モジュールが１つの前記リソースブロックに対応する複数の組のうちの指定の２組を選択し、これにより、選択された２組のリソース要素を用いて16アンテナポートのチャネル状態情報参照信号に対応するリソース要素組を構成する場合、前記データ処理モジュールは、
各前記リソースブロックから、周波数領域上で第3、4、9、10個目のサブキャリアに位置し且つ時間領域上で第6、7個目のOFDM符号に位置するリソース要素、及び周波数領域上で第5、6、11、12個目のサブキャリアに位置し且つ時間領域上で第10、11個目のOFDM符号に位置するリソース要素を選択し、これにより、前記リソース要素組を構成し、或いは、周波数領域上で第1、2、3、4、7、8、9、10個目のサブキャリアに位置し且つ時間領域上で第10、11個目のOFDM符号に位置するリソース要素を選択し、これにより、前記リソース要素組を構成するようにさせるために用いられる、基地局。
【請求項４５】
請求項項43に記載の基地局であって、
前記リソースブロックがノーマル・サイクリック・プレフィックス・サブフレームである時に、各前記リソースブロックが、周波数領域上で12個のサブキャリアを含み、順に0〜11と記され、時間領域上で14個OFDM符号を含み、順に0〜13と記され、そのうち、前記第一リソースブロック及び前記第二リソースブロックが時間領域の異なるサブフレームに位置する時に、前記データ処理モジュールは、
前記第一リソースブロックから、周波数領域上で第3、4、9、10個目のサブキャリアに位置し且つ時間領域上で第6、7個目のOFDM符号に位置するリソース要素を選択し、前記第二リソースブロックから、周波数領域上で第5、6、11、12個目のサブキャリアに位置し且つ時間領域上で第10、11個目のOFDM符号に位置するリソース要素を選択し、これにより、前記リソース要素組を構成し；又は
前記第一リソースブロックから、周波数領域上で第5、6、11、12個目のサブキャリアに位置し且つ時間領域上で第10、11個目のOFDM符号に位置するリソース要素を選択し、前記第二リソースブロックから、周波数領域上で第3、4、9、10個目のサブキャリアに位置し且つ時間領域上で第10、11個目のOFDM符号に位置するリソース要素を選択し、これにより、前記リソース要素組を構成し；又は
前記第一リソースブロックから、周波数領域上で第3、4、9、10個目のサブキャリアに位置し且つ時間領域上で第10、11個目のOFDM符号に位置するリソース要素を選択し、前記第二リソースブロックから、周波数領域上で第1、2、7、8個目のサブキャリアに位置し且つ時間領域上で第10、11個目のOFDM符号に位置するリソース要素を選択、これにより、前記リソース要素組を構成し；又は
前記第一リソースブロックから、周波数領域上で第1、2、7、8個目のサブキャリアに位置し且つ時間領域上で第10、11個目のOFDM符号に位置するリソース要素を選択し、前記第二リソースブロックから、周波数領域上で第3、4、9、10個目のサブキャリアに位置し且つ時間領域上で第13、14個目のOFDM符号に位置するリソース要素を選択し、これにより、前記リソース要素組を構成し；又は
前記第一リソースブロックから、周波数領域上で第3、4、9、10個目のサブキャリアに位置し且つ時間領域上で第13、14個目のOFDM符号に位置するリソース要素を選択し、前記第二リソースブロックから、周波数領域上で第3、4、9、10個目のサブキャリアに位置し且つ時間領域上で第6、7個目のOFDM符号に位置するリソース要素を選択し、これにより、前記リソース要素組を構成するようにさせるために用いられる、基地局。
【請求項４６】
請求項43に記載の基地局であって、
前記リソースブロックがノーマル・サイクリック・プレフィックス・サブフレームである時に、各前記リソースブロックが、周波数領域上で12個のサブキャリアを含み、順に0〜11と記され、時間領域上で14個OFDM符号を含み、順に0〜13と記され、そのうち、前記第一リソースブロック及び前記第二リソースブロックが周波数領域の異なるサブキャリアに位置する時に、前記データ処理モジュールは、
前記第一リソースブロックから、周波数領域上で第3、4、9、10個目のサブキャリアに位置し且つ時間領域上で第6、7個目のOFDM符号に位置するリソース要素を選択し、前記第二リソースブロックから、周波数領域上で第3、4、9、10個目のサブキャリアに位置し且つ時間領域上で第6、7個目のOFDM符号に位置するリソース要素を選択し、これにより、前記リソース要素組を構成し；又は
前記第一リソースブロックから、周波数領域上で第5、6、11、12個目のサブキャリアに位置し且つ時間領域上で第10、11個目のOFDM符号に位置するリソース要素を選択し、前記第二リソースブロックから、周波数領域上で第5、6、11、12個目のサブキャリアに位置し且つ時間領域上で第10、11個目のOFDM符号に位置するリソース要素を選択し、これにより、前記リソース要素組を構成し；又は
前記第一リソースブロックから、周波数領域上で第3、4、9、10個目のサブキャリアに位置し且つ時間領域上で第10、11個目のOFDM符号に位置するリソース要素を選択し、前記第二リソースブロックから、周波数領域上で第3、4、9、10個目のサブキャリアに位置し且つ時間領域上で第10、11個目のOFDM符号に位置するリソース要素を選択し、これにより、前記リソース要素組を構成し；又は
前記第一リソースブロックから、周波数領域上で第1、2、7、8個目のサブキャリアに位置し且つ時間領域上で第10、11個目のOFDM符号に位置するリソース要素を選択し、前記第二リソースブロックから、周波数領域上で第1、2、7、8個目のサブキャリアに位置し且つ時間領域上で第10、11個目のOFDM符号に位置するリソース要素を選択、これにより、前記リソース要素組を構成し；又は
前記第一リソースブロックから、周波数領域上で第3、4、9、10個目のサブキャリアに位置し且つ時間領域上で第13、14個目のOFDM符号に位置するリソース要素を選択し、前記第二リソースブロックから、周波数領域上で第3、4、9、10個目のサブキャリアに位置し且つ時間領域上で第13、14個目のOFDM符号に位置するリソース要素を選択し、これにより、前記リソース要素組を構成するようにさせるために用いられる、基地局。
【請求項４７】
請求項42に記載の基地局であって、
前記データ処理モジュールが、各前記リソースブロックから、8アンテナポートのチャネル状態情報参照信号を伝送用のリソース要素以外の他のリソース要素を選択し、これにより、選択された8アンテナポートのチャネル状態情報参照信号を伝送用のリソース要素及び／又は前記他のリソース要素を用いて前記リソース要素組を構成し、
前記リソースブロックがノーマル・サイクリック・プレフィックス・サブフレームである場合、各前記リソースブロックが、周波数領域上で12個のサブキャリアを含み、順に0〜11と記され、時間領域上で14個OFDM符号を含み、順に0〜13と記され、そのうち、各前記リソースブロックから、前記データ処理モジュールが、時間領域上で第3、4個目のOFDM符号に位置する全てのリソース要素、及び周波数領域上で第5、8個目のサブキャリアに位置し且つ時間領域上で第6、7、13、14個目のOFDM符号に位置するリソース要素を、前記他のリソース要素として選択し；或いは
前記リソースブロックが拡張サイクリック・プレフィックス・サブフレームである場合、各前記リソースブロックが、周波数領域上で12個のサブキャリアを含み、順に0〜11と記され、時間領域上で12個のOFDM符号を含み、順に0〜11と記され、そのうち、各前記リソースブロックから、前記データ処理モジュールが、時間領域上で第2、3、8、9個目のOFDM符号に位置する全てのリソース要素を、前記他のリソース要素として選択する、基地局。
【請求項４８】
請求項47に記載の基地局であって、
前記リソースブロックがノーマル・サイクリック・プレフィックス・サブフレームである時に、前記データ処理モジュールは、更に
各前記リソースブロックから、周波数領域上で第5、6、11、12個目のサブキャリアに位置し且つ時間領域上で第3、4個目のOFDM符号に位置するリソース要素、及び周波数領域上で第3、4、9、10個目のサブキャリアに位置し且つ時間領域上で第10、11個目のOFDM符号に位置するリソース要素を選択し、これにより、前記リソース要素組を構成し；又は
各前記リソースブロックから、周波数領域上で第3、4、9、10個目のサブキャリアに位置し且つ時間領域上で第3、4個目のOFDM符号に位置するリソース要素、及び周波数領域上で第1、2、7、8個目のサブキャリアに位置し且つ時間領域上で第10、11個目のOFDM符号に位置するリソース要素を選択し、これにより、前記リソース要素組を構成し；又は
各前記リソースブロックから、周波数領域上で第1、2、7、8個目のサブキャリアに位置し且つ時間領域上で第3、4個目のOFDM符号に位置するリソース要素、及び周波数領域上で第3、4、9、10個目のサブキャリアに位置し且つ時間領域上で第13、14個目のOFDM符号に位置するリソース要素を選択し、これにより、前記リソース要素組を構成し；又は
各前記リソースブロックから、周波数領域上で第3、4、9、10個目のサブキャリアに位置し且つ時間領域上で第6、7個目のOFDM符号に位置するリソース要素、及び周波数領域上で第5、6、11、12個目のサブキャリアに位置し且つ時間領域上で第10、11個目のOFDM符号に位置するリソース要素を選択し、これにより、前記リソース要素組を構成するようにさせるために用いられ、或いは
前記リソースブロックが拡張サイクリック・プレフィックス・サブフレームである時に、前記データ処理モジュールは、更に
各前記リソースブロックから、周波数領域上で第3、6、9、12個目のサブキャリアに位置し且つ時間領域上で第5、6個目のOFDM符号に位置するリソース要素、及び周波数領域上で第2、5、8、11個目のサブキャリアに位置し且つ時間領域上で第8、9個目のOFDM符号に位置するリソース要素を選択し、これにより、前記リソース要素組を構成し；又は
各前記リソースブロックから、周波数領域上で第1、4、7、10個目のサブキャリアに位置し且つ時間領域上で第5、6個目のOFDM符号に位置するリソース要素、及び周波数領域上で第1、4、7、10個目のサブキャリアに位置し且つ時間領域上で第11、12個目のOFDM符号に位置するリソース要素を選択し、これにより、前記リソース要素組を構成し；又は
各前記リソースブロックから、周波数領域上で第3、6、9、12個目のサブキャリアに位置し且つ時間領域上で第8、9個目のOFDM符号に位置するリソース要素、及び周波数領域上で第2、5、8、11個目のサブキャリアに位置し且つ時間領域上で第11、12個目のOFDM符号に位置するリソース要素を選択し、これにより、前記リソース要素組を構成するようにさせるために用いられる、基地局。
【請求項４９】
端末であって、
nアンテナポートのチャネル状態情報参照信号を受信するためのデータ交互モジュールを含み、
前記nアンテナポートのチャネル状態情報参照信号は、１つのリソースブロックから選択されたs組のリソース要素により構成されたリソース要素組により伝送され、そのうち、第Ai組のリソース要素は、miアンテナポートのチャネル状態情報参照信号を伝送するためであり、s＞1、n＞mi、1≦i≦sであり；又は、r個のリソースブロックのうちの第Aj個目のリソースブロックから選択された少なくとも１つの、mjアンテナポートのチャネル状態情報参数信号を伝送するためのリソース要素であって、全ての選択されたリソース要素により構成されたリソース要素組により伝送され、r＞1、n＞mj、1≦j≦rである、端末。
【請求項５０】
請求項49に記載の端末であって、
前記リソース要素組が前記１つのリソースブロックに由来する時に、前記データ交互モジュールは更に指示シグナリングを受信し、前記指示シグナリングは、第一ジョイント・シグナリング及び前記s組のリソース要素に対応するs個の第一構成シグナリングを含み、
前記第一ジョイント・シグナリングは、トータルのアンテナポート数nの数値、前記１つのリソースブロックの時間領域上での周期及び時間領域周期中でのオフセット、及び前記端末がチャネル状態情報をフィードバック時に想定するデータチャネルの伝送パワー比γiを含み；また、第Ai組のリソース要素に対応する第一構成シグナリングは、アンテナポート数mi、及び前記第Ai組のリソース要素の前記１つのリソースブロック中での位置を含む、端末。
【請求項５１】
請求項49に記載の端末であって、
前記リソース要素組が前記r個のリソースブロックに由来する時に、前記データ交互モジュールは更に指示シグナリングを受信し、前記指示シグナリングは、第二ジョイント・シグナリング及び前記r個のリソースブロックに対応するr個の第二構成シグナリングを含み、
前記第二ジョイント・シグナリングは、トータルのアンテナポート数nの数値を含み；また、第Aj個目のリソースブロックに対応する第二構成シグナリングは、アンテナポート数mjの数値、前記第Aj個目のリソースブロック中の被選リソース要素の所在位置情報、前記第Aj個目のリソースブロックの位置情報、及び前記端末がチャネル状態情報をフィードバック時に想定するデータチャネルの伝送パワー比γjを含む、端末。
【請求項５２】
請求項51に記載の端末であって、
前記r個のリソースブロックが時間領域の異なるサブフレームに位置する時に、
前記第Aj個目のリソースブロックの位置情報は、周期情報及びオフセット情報を含み、前記周期情報は、前記第Aj個目のリソースブロックの時間領域上での周期を指示用であり、前記オフセット情報は、前記第Aj個目のリソースブロックの時間領域周期中でのオフセットを指示用であり；或いは
前記r個のリソースブロックが周波数領域の異なるサブキャリアに位置する時に、
前記第Aj個目のリソースブロックの位置情報は、時間領域情報及び周波数領域情報を含み、前記時間領域情報は、前記第Aj個目のリソースブロックの時間領域上での周期及びオフセットを指示用であり、前記周波数領域情報は、前記第Aj個目のリソースブロックの周波数領域上での周期及びオフセットを指示用である、端末。
【請求項５３】
請求項49に記載の端末であって、
前記リソース要素組が前記r個のリソースブロックに由来する時に、前記データ交互モジュールは更に指示シグナリングを受信し、前記指示シグナリングは、第三ジョイント・シグナリング及び前記r個のリソースブロックに対応するr個の第三構成シグナリングを含み、
前記第三ジョイント・シグナリングは、トータルのアンテナポート数nの数値、前記r個のリソースブロックのうちの指定リソースブロックの位置情報、前記第Aj個目のリソースブロックと前記指定リソースブロックとの間の相対位置情報、及び前記端末がチャネル状態情報をフィードバック時に想定するデータチャネルの伝送パワー比γjを含み；また、第Aj個目のリソースブロックに対応する第三構成シグナリングは、アンテナポート数mjの数値、及び前記第Aj個目のリソースブロック中の被選リソース要素の所在位置情報を含む、端末。
【請求項５４】
請求項53に記載の端末であって、
前記r個のリソースブロックが時間領域の異なるサブフレームに位置する時に、
前記相対位置情報はオフセット情報を含み、前記オフセット情報は、前記第Aj個目のリソースブロックと前記指定リソースブロックとの時間領域上でのオフセットを指示用であり；或いは
前記r個のリソースブロックが周波数領域の異なるサブキャリアに位置する時に、
前記第三ジョイント・シグナリングは更に前記r個のリソースブロックの時間領域上での周期及びオフセットを含み；また、前記相対位置情報はオフセット情報を含み、前記オフセット情報は、前記第Aj個目のリソースブロックと前記指定リソースブロックとの周波数領域上でのオフセットを指示用である、端末。
【請求項５５】
請求項49に記載の端末であって、更に
第一前設定モジュールを含み、
前記第一前設定モジュールは、前記r個のリソースブロックが時間領域の異なるサブフレームに位置する時に、前記r個のリソースブロックの時間領域上でのオフセットを予め設定し、又は、前記r個のリソースブロックが周波数領域の異なるサブキャリアに位置する時に、前記r個のリソースブロックの周波数領域上でのオフセットを予め設定し、
前記リソース要素組が前記r個のリソースブロックに由来する時に、前記データ交互モジュールは更に指示シグナリングを受信し、前記指示シグナリングは、アンテナポート数mjの数値、トータルのアンテナポート数nの数値、前記r個のリソースブロックのうちの指定リソースブロックの時間領域上での位置情報、及び前記端末がチャネル状態情報をフィードバック時に想定するデータチャネルの伝送パワー比γjを含む、端末。
【請求項５６】
請求項49に記載の端末であって、更に
第二前設定モジュールを含み、
前記第二前設定モジュールは、被選リソース要素の各リソースブロック中での位置を予め設定し、
前記リソース要素組が前記r個のリソースブロックに由来する時に、前記データ交互モジュールは更に指示シグナリングを受信し、前記指示シグナリングは、第四ジョイント・シグナリング及び前記r個のリソースブロックに対応するr個の第四構成シグナリングを含み、
前記第四ジョイント・シグナリングは、トータルのアンテナポート数nの数値を含み；また、第Aj個目のリソースブロックに対応する第四構成シグナリングは、アンテナポート数mjの数値、前記第Aj個目のリソースブロックの位置情報、及び前記端末がチャネル状態情報をフィードバック時に想定するデータチャネルの伝送パワー比γjを含み；又は
前記第四ジョイント・シグナリングは、トータルのアンテナポート数nの数値、前記r個のリソースブロックのうちの指定リソースブロックの時間領域上での位置情報、前記第Aj個目のリソースブロックと前記指定リソースブロックとの間の相対位置情報、及び前記端末がチャネル状態情報をフィードバック時に想定するデータチャネルの伝送パワー比γjを含み；また、第Aj個目のリソースブロックに対応する第四構成シグナリングは、アンテナポート数mjの数値を含む、端末。
【請求項５７】
請求項50〜56の何れか１項に記載の端末であって、
受信した前記指示シグナリングは、RRCにより伝送されるものである、端末。
【請求項５８】
請求項49〜56の何れか１項に記載の端末であって、
前記nアンテナポートのチャネル状態情報参照信号は、16アンテナポートのチャネル状態情報参照信号であり、該16アンテナポートのチャネル状態情報参照信号は、１つ又は２つのリソースブロックから選択された２組の8アンテナポートのチャネル状態情報参照信号を伝送用のリソース要素により構成されたリソース要素組により伝送され、選択された各組のリソース要素の個数は8である、端末。
【請求項５９】
請求項58に記載の端末であって、
各前記リソースブロックにおいて、8アンテナポートのチャネル状態情報参照信号を伝送用のリソース要素が複数の組として構成され、前記リソースブロックがノーマル・サイクリック・プレフィックス・サブフレームである時に、前記リソース要素が５つの組として構成され、前記リソースブロックが拡張サイクリック・プレフィックス・サブフレームである時に、前記リソース要素が４つの組として構成され、この場合、前記16アンテナポートのチャネル状態情報参照信号に対応するリソース要素組を構成することは、
１つの前記リソースブロックに対応する複数の組のうちの指定の２組を選択し、又は、２つの前記リソースブロックから、第一リソースブロックに対応する複数の組のうちの指定の１組及び第二リソースブロックに対応する複数の組のうちの指定の１組を選択し、これにより、選択された２組のリソース要素を用いて16アンテナポートのチャネル状態情報参照信号に対応するリソース要素組を構成することを含み、
前記第一リソースブロック及び前記第二リソースブロックは、時間領域の異なるサブフレームに位置し又は周波数領域の異なるサブキャリアに位置する、端末。
【請求項６０】
請求項59に記載の端末であって、
前記リソースブロックがノーマル・サイクリック・プレフィックス・サブフレームである時に、各前記リソースブロックが、周波数領域上で12個のサブキャリアを含み、順に0〜11と記され、時間領域上で14個OFDM符号を含み、順に0〜13と記され、この場合、前記１つの前記リソースブロックに対応する複数の組のうちの指定の２組を選択し、これにより、選択された２組のリソース要素を用いて16アンテナポートのチャネル状態情報参照信号に対応するリソース要素組を構成することは、
各前記リソースブロックから、周波数領域上で第3、4、9、10個目のサブキャリアに位置し且つ時間領域上で第6、7個目のOFDM符号に位置するリソース要素、及び周波数領域上で第5、6、11、12個目のサブキャリアに位置し且つ時間領域上で第10、11個目のOFDM符号に位置するリソース要素を選択し、これにより、前記リソース要素組を構成し、又は、周波数領域上で第1、2、3、4、7、8、9、10個目のサブキャリアに位置し且つ時間領域上で第10、11個目のOFDM符号に位置するリソース要素を選択し、これにより、前記リソース要素組を構成することを含む、端末。
【請求項６１】
請求項59に記載の端末であって、
前記リソースブロックがノーマル・サイクリック・プレフィックス・サブフレームである時に、各前記リソースブロックが、周波数領域上で12個のサブキャリアを含み、順に0〜11と記され、時間領域上で14個OFDM符号を含み、順に0〜13と記され、
前記第一リソースブロック及び前記第二リソースブロックが時間領域の異なるサブフレームに位置する時に、前記第一リソースブロックに対応する複数の組のうちの指定の１組及び第二リソースブロックに対応する複数の組のうちの指定の１組を選択し、これにより、選択された２組のリソース要素を用いて16アンテナポートのチャネル状態情報参照信号に対応するリソース要素組を構成することは、
前記第一リソースブロックから、周波数領域上で第3、4、9、10個目のサブキャリアに位置し且つ時間領域上で第6、7個目のOFDM符号に位置するリソース要素を選択し、前記第二リソースブロックから、周波数領域上で第5、6、11、12個目のサブキャリアに位置し且つ時間領域上で第10、11個目のOFDM符号に位置するリソース要素を選択し、これにより、前記リソース要素組を構成し；又は
前記第一リソースブロックから、周波数領域上で第5、6、11、12個目のサブキャリアに位置し且つ時間領域上で第10、11個目のOFDM符号に位置するリソース要素を選択し、前記第二リソースブロックから、周波数領域上で第3、4、9、10個目のサブキャリアに位置し且つ時間領域上で第10、11個目のOFDM符号に位置するリソース要素を選択し、これにより、前記リソース要素組を構成し；又は
前記第一リソースブロックから、周波数領域上で第3、4、9、10個目のサブキャリアに位置し且つ時間領域上で第10、11個目のOFDM符号に位置するリソース要素を選択し、前記第二リソースブロックから、周波数領域上で第1、2、7、8個目のサブキャリアに位置し且つ時間領域上で第10、11個目のOFDM符号に位置するリソース要素を選択、これにより、前記リソース要素組を構成し；又は
前記第一リソースブロックから、周波数領域上で第1、2、7、8個目のサブキャリアに位置し且つ時間領域上で第10、11個目のOFDM符号に位置するリソース要素を選択し、前記第二リソースブロックから、周波数領域上で第3、4、9、10個目のサブキャリアに位置し且つ時間領域上で第13、14個目のOFDM符号に位置するリソース要素を選択し、これにより、前記リソース要素組を構成し；又は
前記第一リソースブロックから、周波数領域上で第3、4、9、10個目のサブキャリアに位置し且つ時間領域上で第13、14個目のOFDM符号に位置するリソース要素を選択し、前記第二リソースブロックから、周波数領域上で第3、4、9、10個目のサブキャリアに位置し且つ時間領域上で第6、7個目のOFDM符号に位置するリソース要素を選択し、これにより、前記リソース要素組を構成することを含む、端末。
【請求項６２】
請求項59に記載の端末であって、
前記リソースブロックがノーマル・サイクリック・プレフィックス・サブフレームである時に、各前記リソースブロックが、周波数領域上で12個のサブキャリアを含み、順に0〜11と記され、時間領域上で14個OFDM符号を含み、順に0〜13と記され、
前記第一リソースブロック及び前記第二リソースブロックが周波数領域の異なるサブキャリアに位置する時に、前記第一リソースブロックに対応する複数の組のうちの指定の１組及び第二リソースブロックに対応する複数の組のうちの指定の１組を選択し、これにより、選択された２組のリソース要素を用いて16アンテナポートのチャネル状態情報参照信号に対応するリソース要素組を構成することは、
前記第一リソースブロックから、周波数領域上で第3、4、9、10個目のサブキャリアに位置し且つ時間領域上で第6、7個目のOFDM符号に位置するリソース要素を選択し、前記第二リソースブロックから、周波数領域上で第3、4、9、10個目のサブキャリアに位置し且つ時間領域上で第6、7個目のOFDM符号に位置するリソース要素を選択し、これにより、前記リソース要素組を構成し；又は
前記第一リソースブロックから、周波数領域上で第5、6、11、12個目のサブキャリアに位置し且つ時間領域上で第10、11個目のOFDM符号に位置するリソース要素を選択し、前記第二リソースブロックから、周波数領域上で第5、6、11、12個目のサブキャリアに位置し且つ時間領域上で第10、11個目のOFDM符号に位置するリソース要素を選択し、これにより、前記リソース要素組を構成し；又は
前記第一リソースブロックから、周波数領域上で第3、4、9、10個目のサブキャリアに位置し且つ時間領域上で第10、11個目のOFDM符号に位置するリソース要素を選択し、前記第二リソースブロックから、周波数領域上で第3、4、9、10個目のサブキャリアに位置し且つ時間領域上で第10、11個目のOFDM符号に位置するリソース要素を選択し、これにより、前記リソース要素組を構成し；又は
前記第一リソースブロックから、周波数領域上で第1、2、7、8個目のサブキャリアに位置し且つ時間領域上で第10、11個目のOFDM符号に位置するリソース要素を選択し、前記第二リソースブロックから、周波数領域上で第1、2、7、8個目のサブキャリアに位置し且つ時間領域上で第10、11個目のOFDM符号に位置するリソース要素を選択、これにより、前記リソース要素組を構成し；又は
前記第一リソースブロックから、周波数領域上で第3、4、9、10個目のサブキャリアに位置し且つ時間領域上で第13、14個目のOFDM符号に位置するリソース要素を選択し、前記第二リソースブロックから、周波数領域上で第3、4、9、10個目のサブキャリアに位置し且つ時間領域上で第13、14個目のOFDM符号に位置するリソース要素を選択し、これにより、前記リソース要素組を構成することを含む、端末。
【請求項６３】
請求項58に記載の端末であって、更に
各前記リソースブロックから、8アンテナポートのチャネル状態情報参照信号を伝送用のリソース要素以外の他のリソース要素を選択し、これにより、選択された8アンテナポートのチャネル状態情報参照信号を伝送用のリソース要素及び／又は前記他のリソース要素組を用いて前記リソース要素組を構成することを含み、
前記リソースブロックがノーマル・サイクリック・プレフィックス・サブフレームである場合、各前記リソースブロックが、周波数領域上で12個のサブキャリアを含み、順に0〜11と記され、時間領域上で14個OFDM符号を含み、順に0〜13と記され、この場合、各前記リソースブロックから、時間領域上で第3、4個目のOFDM符号に位置する全てのリソース要素、及び周波数領域上で第5、8個目のサブキャリアに位置し且つ時間領域上で第6、7、13、14個目のOFDM符号に位置するリソース要素が、前記他のリソース要素として選択され；或いは
前記リソースブロックが拡張サイクリック・プレフィックス・サブフレームである場合、各前記リソースブロックが、周波数領域上で12個のサブキャリアを含み、順に0〜11と記され、時間領域上で12個のOFDM符号を含み、順に0〜11と記され、この場合、各前記リソースブロックから、時間領域上で第2、3、8、9個目のOFDM符号に位置する全てのリソース要素が、前記他のリソース要素として選択される、端末。
【請求項６４】
請求項63に記載の端末であって、
前記リソースブロックがノーマル・サイクリック・プレフィックス・サブフレームである時に、
各前記リソースブロックから、周波数領域上で第5、6、11、12個目のサブキャリアに位置し且つ時間領域上で第3、4個目のOFDM符号に位置するリソース要素、及び周波数領域上で第3、4、9、10個目のサブキャリアに位置し且つ時間領域上で第10、11個目のOFDM符号に位置するリソース要素を選択し、これにより、前記リソース要素組を構成し；又は
各前記リソースブロックから、周波数領域上で第3、4、9、10個目のサブキャリアに位置し且つ時間領域上で第3、4個目のOFDM符号に位置するリソース要素、及び周波数領域上で第1、2、7、8個目のサブキャリアに位置し且つ時間領域上で第10、11個目のOFDM符号に位置するリソース要素を選択し、これにより、前記リソース要素組を構成し；又は
各前記リソースブロックから、周波数領域上で第1、2、7、8個目のサブキャリアに位置し且つ時間領域上で第3、4個目のOFDM符号に位置するリソース要素、及び周波数領域上で第3、4、9、10個目のサブキャリアに位置し且つ時間領域上で第13、14個目のOFDM符号に位置するリソース要素を選択し、これにより、前記リソース要素組を構成し；又は
各前記リソースブロックから、周波数領域上で第3、4、9、10個目のサブキャリアに位置し且つ時間領域上で第6、7個目のOFDM符号に位置するリソース要素、及び周波数領域上で第5、6、11、12個目のサブキャリアに位置し且つ時間領域上で第10、11個目のOFDM符号に位置するリソース要素を選択し、これにより、前記リソース要素組を構成することを含み、或いは
前記リソースブロックが拡張サイクリック・プレフィックス・サブフレームである時に、
各前記リソースブロックから、周波数領域上で第3、6、9、12個目のサブキャリアに位置し且つ時間領域上で第5、6個目のOFDM符号に位置するリソース要素、及び周波数領域上で第2、5、8、11個目のサブキャリアに位置し且つ時間領域上で第8、9個目のOFDM符号に位置するリソース要素を選択し、これにより、前記リソース要素組を構成し；又は
各前記リソースブロックから、周波数領域上で第1、4、7、10個目のサブキャリアに位置し且つ時間領域上で第5、6個目のOFDM符号に位置するリソース要素、及び周波数領域上で第1、4、7、10個目のサブキャリアに位置し且つ時間領域上で第11、12個目のOFDM符号に位置するリソース要素を選択し、これにより、前記リソース要素組を構成し；又は
各前記リソースブロックから、周波数領域上で第3、6、9、12個目のサブキャリアに位置し且つ時間領域上で第8、9個目のOFDM符号に位置するリソース要素、及び周波数領域上で第2、5、8、11個目のサブキャリアに位置し且つ時間領域上で第11、12個目のOFDM符号に位置するリソース要素を選択し、これにより、前記リソース要素組を構成することを含む、端末。
【請求項６５】
システムであって、
請求項33〜48の何れか１項に記載の基地局及び請求項49〜64の何れか１項に記載の端末を含む、システム。
【請求項６６】
コンピュータ読み取り可能なプログラムであって、
基地局中で前記プログラムを実行する時に、前記プログラムは、コンピュータに、前記基地局中で請求項1〜16の何れか１項に記載のチャネル状態情報参照信号の伝送方法を実行させるための、プログラム。
【請求項６７】
コンピュータ読み取り可能なプログラムを記録した記憶媒体であって、
前記コンピュータ読み取り可能なプログラムは、コンピュータに、基地局中で請求項1〜16の何れか１項に記載のチャネル状態情報参照信号の伝送方法を実行させるためのプログラムである、記憶媒体。
【発明の詳細な説明】
【技術分野】
【０００１】
本発明は、通信技術分野に関し、具体的には、チャネル状態情報参照信号の伝送方法、基地局、端末、システム、マシン可読プログラム及びマシン可読プログラムを記憶した記憶媒体に関する。
【背景技術】
【０００２】
大規模アンテナがシステムのカバレッジを強化し、ユーザ間の干渉を消去し、サイトの数を減らし、操作・メンテナンスのコストを低減するために用いられ、それは、LTE-Aシステム中での注目されている候補技術の１つである。垂直方向セクタ化技術及びユーザ３次元ビーム形成技術が、大規模アンテナシステム中での２つの容易に産業化される技術である。図1は、垂直方向セクタ化技術を示す図であり、そのうち、基地局側102のビーム形成により、空間上でユーザ装置104を多重化することで、システム容量を向上させることができ；図2は、ユーザ３次元ビーム形成技術を示す図であり、そのうち、基地局側102のビーム・アラインメントにより、ユーザ装置104がより高いビーム形成利得を取得することができ、これにより、ユーザ装置104の間の干渉を抑えることができ、また、システムがより多くのデータ流のマルチユーザマルチアンテナ技術をサポートすることができ、空間上でユーザ装置104を多重化することで、システム容量を更に向上させることができる。しかし、これらの技術は全てシステムの空間分解能を上げることを要し、即ち、システムがより多くのアンテナポートを使用することを要する。
【０００３】
しかし、LTE-A  R10/11システムでは、最大で8アンテナポートがサポートされるため、CSI-RS（channel  state  information  reference  signal、チャネル状態情報参照信号）のより多くのアンテナポートに対してのサポートを実現することができず、よって、アンテナの数の増加に伴って、限られたアンテナポートの数は、大規模アンテナシステムのパフォーマンスを制限してしまう。
【発明の概要】
【発明が解決しようとする課題】
【０００４】
本発明は、上述の問題を基に、新しい技術案を提案しており、そのうち、従来の少数アンテナポートのチャネル状態情報参照信号に基づいて、より多くのアンテナポートをサポートし得るチャネル状態情報参照信号を提供し、これにより、大規模アンテナシステムのパフォーマンスを十分に発揮し、そして、大量アンテナによるシステム容量利得を更に得ることができる。
【課題を解決するための手段】
【０００５】
上述に鑑みて、本発明は、チャネル状態情報参照信号の伝送方法を提供し、それは、１つのリソースブロックからs組のリソース要素を選択し、そのうち、第Ai組のリソース要素は、miアンテナポートのチャネル状態情報参照信号を伝送用のリソース要素であり、これにより、nアンテナポートのチャネル状態情報参照信号に対応するリソース要素組を構成し、そのうち、s＞1、n＞mi、1≦i≦sであり、又は、r個のリソースブロックにおいて、第Aj個目のリソースブロックから、少なくとも１つの、mjアンテナポートのチャネル状態情報参数信号を伝送用のリソース要素を選択し、また、全ての選択されたリソース要素を用いてnアンテナポートのチャネル状態情報参照信号に対応するリソース要素組を構成し、そのうち、r＞1、n＞mj、1≦j≦rであり；及び、前記リソース要素組により、前記nアンテナポートのチャネル状態情報参照信号を１つ又は複数の端末に伝送することを含む。該技術案では、従来の標準において、各リソースブロック中での例えば2、4又は8アンテナポートのCSI-RSを伝送用のリソース要素が既に定義されているため、１つ又は複数のリソースブロックから一部の元々2、4又は8アンテナポートのCSI-RSを伝送用のリソース要素を選択することで、組み合わせによってより多くのアンテナポートのCSI-RSを伝送用のリソース要素組を得ることができ、これにより、大規模アンテナシステムのパフォーマンスの十分な発揮に有利であり、そして、大量アンテナによるシステム容量利得を更に取得することができる。また、使用するのが、元々2、4又は8アンテナポートのCSI-RSを伝送用のリソース要素であるので、CSI-RSがサポートする伝送用アンテナポートの数を拡張し得ると同時に、以前のユーザへの影響をできるだけ減少させることもできる。
【０００６】
本発明は更にチャネル状態情報参照信号の伝送方法を提供し、それは、nアンテナポートのチャネル状態情報参照信号を受信し、前記nアンテナポートのチャネル状態情報参照信号は、１つのリソースブロックから選択されたs組のリソース要素からなるリソース要素組により伝送され、そのうち、第Ai組のリソース要素は、miアンテナポートのチャネル状態情報参照信号を伝送用であり、また、s＞1、n＞mi、1≦i≦sであり；又は、r個のリソースブロックにおいて、第Aj個目のリソースブロックから選択された少なくとも１つの、mjアンテナポートのチャネル状態情報参数信号を伝送用のリソース要素であって、全ての選択されたリソース要素から構成したリソース要素組により伝送され、また、r＞1、n＞mj、1≦j≦rである。該技術案では、従来の標準において、各リソースブロック中での例えば2、4又は8アンテナポートのCSI-RSを伝送用のリソース要素が既に定義されているため、１つ又は複数のリソースブロックから一部の元々2、4又は8アンテナポートのCSI-RSを伝送用のリソース要素を選択することで、組み合わせによってより多くのアンテナポートのCSI-RSを伝送用のリソース要素組を得ることができ、これにより、大規模アンテナシステムのパフォーマンスの十分な発揮に有利であり、そして、大量アンテナによるシステム容量利得を更に取得することができる。また、使用するのが、元々2、4又は8アンテナポートのCSI-RSを伝送用のリソース要素であるので、CSI-RSがサポートする伝送用アンテナポートの数を拡張し得ると同時に、以前のユーザへの影響をできるだけ減少させることもできる。
【０００７】
本発明は更に基地局を提供し、それは、１つのリソースブロックからs組のリソース要素を選択するためのデータ処理モジュールであって、第Ai組のリソース要素は、miアンテナポートのチャネル状態情報参照信号を伝送用のリソース要素であり、これにより、nアンテナポートのチャネル状態情報参照信号に対応するリソース要素組を構成し、そのうち、s＞1、n＞mi、1≦i≦sであり、又は、r個のリソースブロックにおいて、第Aj個目のリソースブロックから少なくとも１つの、mjアンテナポートのチャネル状態情報参数信号を伝送用のリソース要素を選択し、そして、全ての選択されたリソース要素を用いてnアンテナポートのチャネル状態情報参照信号に対応するリソース要素組を構成し、そのうち、r＞1、n＞mj、1≦j≦rである、データ処理モジュール；及び、前記リソース要素組により、前記nアンテナポートのチャネル状態情報参照信号を１つ又は複数の端末に送信するためのデータ伝送モジュールを含む。該技術案では、従来の標準において、各リソースブロック中での例えば2、4又は8アンテナポートのCSI-RSを伝送用のリソース要素が既に定義されているため、１つ又は複数のリソースブロックから一部の元々2、4又は8アンテナポートのCSI-RSを伝送用のリソース要素を選択することで、組み合わせによってより多くのアンテナポートのCSI-RSを伝送用のリソース要素組を得ることができ、これにより、大規模アンテナシステムのパフォーマンスの十分な発揮に有利であり、そして、大量アンテナによるシステム容量利得を更に取得することができる。また、使用するのが、元々2、4又は8アンテナポートのCSI-RSを伝送用のリソース要素であるので、CSI-RSがサポートする伝送用アンテナポートの数を拡張し得ると同時に、以前のユーザへの影響をできるだけ減少させることもできる。
【０００８】
本発明は更に端末を提供し、それは、nアンテナポートのチャネル状態情報参照信号を受信するためのデータ交互モジュールであって、前記nアンテナポートのチャネル状態情報参照信号は、１つのリソースブロックから選択されたs組のリソース要素からなるリソース要素組により伝送され、そのうち、第Ai組のリソース要素は、miアンテナポートのチャネル状態情報参照信号を伝送用であり、また、s＞1、n＞mi、1≦i≦sであり、又は、r個のリソースブロックにおいて、第Aj個目のリソースブロックから選択された少なくとも１つの、mjアンテナポートのチャネル状態情報参数信号を伝送用のリソース要素であって、全ての選択されたリソース要素からなるリソース要素組により伝送され、また、r＞1、n＞mj、1≦j≦rである、データ交互モジュールを含む。該技術案では、従来の標準において、各リソースブロック中での例えば2、4又は8アンテナポートのCSI-RSを伝送用のリソース要素が既に定義されているため、１つ又は複数のリソースブロックから一部の元々2、4又は8アンテナポートのCSI-RSを伝送用のリソース要素を選択することで、組み合わせによってより多くのアンテナポートのCSI-RSを伝送用のリソース要素組を得ることができ、これにより、大規模アンテナシステムのパフォーマンスの十分な発揮に有利であり、そして、大量アンテナによるシステム容量利得を更に取得することができる。また、使用するのが、元々2、4又は8アンテナポートのCSI-RSを伝送用のリソース要素であるので、CSI-RSがサポートする伝送用アンテナポートの数を拡張し得ると同時に、以前のユーザへの影響をできるだけ減少させることもできる。
【０００９】
本発明は更にシステムを提供し、それは上述の任意の１つの技術案に記載の基地局及び上述の任意の１つの技術案に記載の端末を含む。該技術案では、従来の標準において、各リソースブロック中での例えば2、4又は8アンテナポートのCSI-RSを伝送用のリソース要素が既に定義されているため、１つ又は複数のリソースブロックから一部の元々2、4又は8アンテナポートのCSI-RSを伝送用のリソース要素を選択することで、組み合わせによってより多くのアンテナポートのCSI-RSを伝送用のリソース要素組を得ることができ、これにより、大規模アンテナシステムのパフォーマンスの十分な発揮に有利であり、そして、大量アンテナによるシステム容量利得を更に取得することができる。また、使用するのが、元々2、4又は8アンテナポートのCSI-RSを伝送用のリソース要素であるので、CSI-RSがサポートする伝送用アンテナポートの数を拡張し得ると同時に、以前のユーザへの影響をできるだけ減少させることもできる。
【００１０】
本発明は更にマシン（コンピュータ）可読プログラムを提供し、そのうち、基地局中で前記プログラムを実行する時に、前記プログラムはマシンに、前記基地局中で上述のチャネル状態情報参照信号の伝送方法を実行させる。
【００１１】
本発明は更にマシン可読プログラムを記憶した記憶媒体を提供し、そのうち、前記マシン可読プログラムはマシンに、基地局中で上述のチャネル状態情報参照信号の伝送方法を実行させる。
【００１２】
上述の技術案により、従来の少数アンテナポートのチャネル状態情報参照信号に基づいて、より多くのアンテナポートをサポートし得るチャネル状態情報参照信号を提供することができ、これにより、大規模アンテナシステムのパフォーマンスを十分に発揮し、そして、大量アンテナによるシステム容量利得を更に得ることができる。
【図面の簡単な説明】
【００１３】
【図１】関連技術中の垂直方向セクタ化技術を示す図である。
【図２】関連技術中のユーザビーム形成技術を示す図である。
【図３】関連技術中のノーマル・サイクリック・プレフィックス・システム中のリソースブロックの構造を示す図である。
【図４】関連技術中の拡張サイクリック・プレフィックス・システム中のリソースブロックの構造を示す図である。
【図５Ａ】本発明の実施例による基地局がチャネル状態情報参照信号を端末に伝送するフローチャートである。
【図５Ｂ】本発明の実施例による基地局が指示シグナリングを端末に伝送するフローチャートである。
【図６】本発明の実施例によるノーマル・サイクリック・プレフィックス・サブフレーム中のチャネル状態情報参照信号の設計図様を示す図である。
【図７】本発明の実施例によるノーマル・サイクリック・プレフィックス・サブフレーム中のチャネル状態情報参照信号の設計図様を示す図である。
【図８】本発明の実施例によるノーマル・サイクリック・プレフィックス・サブフレーム中のチャネル状態情報参照信号の設計図様を示す図である。
【図９】本発明の実施例によるノーマル・サイクリック・プレフィックス・サブフレーム中のチャネル状態情報参照信号の設計図様を示す図である。
【図１０】本発明の実施例によるノーマル・サイクリック・プレフィックス・サブフレーム中のチャネル状態情報参照信号の設計図様を示す図である。
【図１１】本発明の実施例によるノーマル・サイクリック・プレフィックス・サブフレーム中のチャネル状態情報参照信号の設計図様を示す図である。
【図１２】本発明の実施例による拡張サイクリック・プレフィックス・サブフレーム中のチャネル状態情報参照信号の設計図様を示す図である。
【図１３】本発明の実施例による拡張サイクリック・プレフィックス・サブフレーム中のチャネル状態情報参照信号の設計図様を示す図である。
【図１４】本発明の実施例による拡張サイクリック・プレフィックス・サブフレーム中のチャネル状態情報参照信号の設計図様を示す図である。
【図１５】本発明の実施例による拡張サイクリック・プレフィックス・サブフレーム中のチャネル状態情報参照信号の設計図様を示す図である。
【図１６】本発明の実施例による拡張サイクリック・プレフィックス・サブフレーム中のチャネル状態情報参照信号の設計図様を示す図である。
【図１７】本発明の実施例による拡張サイクリック・プレフィックス・サブフレーム中のチャネル状態情報参照信号の設計図様を示す図である。
【図１８】本発明の実施例による基地局のブロック図である。
【図１９】本発明の実施例による端末がチャネル状態情報参照信号を受信するフローチャートである。
【図２０】本発明の実施例による端末のブロック図である。
【図２１】本発明の実施例によるシステムのブロック図である。
【発明を実施するための形態】
【００１４】
本発明の上述の目的、特徴及び利点をより明確に理解し得るために、以下、図面及び具体的な実施方式を参照しながら本発明について更に詳しく説明する。なお、矛盾が無い前提で、本出願の実施例及実施例中の特徴を組みわせることもできる。
【００１５】
以下、本発明を十分に理解し得るために、多くの細部が記載されている。しかし、本発明は更に以下に記載の方式と異なる方式で実施することもできる。よって、本発明は以下に開示の具体的な実施例に限定されない。
【００１６】
参照信号のロードとチャネルの推定パフォーマンスとの比較的良い折衷を得るために、CSI-RSの密度が、1リソース要素／リソースブロック／ポート（1RE/PR/Port）と確定されている。CSI-RSの図様の設計過程では、下記のような原則（ルール）を参照し、即ち、（1）ポート0及びポート1のCSI-RSが時分多重化の方法で伝送され；同様に、他の偶数ポート及び奇数ポートのCSI-RSも時分多重化の方法で伝送され；（2）2/4/8ポートのCSI-RSに対応するリソース要素がネスト構造を有し；（3）他の下り参照信号との衝突を避け；（4）以前のバージョンのユーザに比較的小さい影響を与え；（5）協調多点伝送（CoMP）チャネル状態情報の測定を比較的良くサポートし得るという原則である。
【００１７】
上述の原則に基づいてLTE  R10/11システム中で既に確定された、ノーマル・サイクリック・プレフィックスの下での１つのリソースブロック中の2/4/8ポートのCSI-RSの設計図様は図3に示されており、そのうち、図（a）は2アンテナポートのCSI-RSの設計図様であり、図（b）は4アンテナポートのCSI-RSの設計図様であり、図（c）は8アンテナポートのCSI-RSの設計図様であり（数字の0、1又は0、1、2、3又は0、1、2、3、4、5、6、7のあるグリッドは、CSI-RSに対応するリソース要素である。）；また、LTE  R10/11システム中で既に確定された、拡張サイクリック・プレフィックスの下での１つのリソースブロック中の2/4/8ポートのCSI-RSの設計図様は図4に示されており、そのうち、図（a）は2アンテナポートのCSI-RSの設計図様であり、図（b）は4アンテナポートのCSI-RSの設計図様であり、図（c）は8アンテナポートのCSI-RSの設計図様であり（数字の0、1又は0、1、2、3又は0、1、2、3、4、5、6、7のあるグリッドは、CSI-RSに対応するリソース要素である）。
【００１８】
よって、本発明の技術案では、より多く（従来の8個よりも大きい。）のアンテナポートのCSI-RSの図様を設計する必要があり、また、下記のようなの原則を採用しても良く、即ち、（1）以前のCSI-RSの１つの時間周波数リソースブロックにおける密度をそのまま採用して、参照信号のロード及びチャネル推定品質の良好な折衷を取得し（即ち、1リソース要素／リソースブロック／ポート）；（2）他の参照信号との衝突を避け（既存の参照信号又は出現可能な新しい下り参照信号を含み）；（3）既存のCSI-RSリソースをできるだけ再利用し、このように、以前のバージョンユーザへの影響を減少させることができ；（4）2/4/8ポートに対してのネスト構造をできるだけ保ち、これにより、システム実現の複雑度を低減し；（5）時間領域符号分割多重化の設計方法を再利用し；（6）確定されたロード密度の前提で、チャネル推定の品質をできるだけ向上させるという原則である。
【００１９】
上述の設計原則に基づいて、図5Aに示すように、本発明の実施例による基地局がチャネル状態情報参照信号を端末に伝送するフローチャートは、下記のステップを含む。
【００２０】
ステップ502A1：１つのリソースブロックからs組のリソース要素を選択し、そのうち、第Ai組のリソース要素は、miアンテナポートのチャネル状態情報参照信号を伝送用のリソース要素であり、これにより、nアンテナポートのチャネル状態情報参照信号に対応するリソース要素組を構成し、そのうち、s＞1、n＞mi、1≦i≦sであり；又は
ステップ502A2：r個のリソースブロックにおいて、第Aj個目のリソースブロックから少なくとも１つの、mjアンテナポートのチャネル状態情報参数信号を伝送用のリソース要素を選択し、そして、全ての選択されたリソース要素を用いてnアンテナポートのチャネル状態情報参照信号に対応するリソース要素組を構成し、そのうち、r＞1、n＞mj、1≦j≦rであり；
ステップ504A：前記リソース要素組により、前記nアンテナポートのチャネル状態情報参照信号を１つ又は複数の端末に伝送する。
【００２１】
該技術案では、ステップ502A1及びステップ502A2は２種類の並列の方式であり、そのうち、ステップ502A2では、各リソースブロックに対応するアンテナポートの数は、同じであっても良く、例えば、２つの8アンテナポートのCSI-RSを用いて組み合わせにより16アンテナポートのCSI-RSを構成し、又は、異なっても良く、例えば、１つの4アンテナポート及び１つの8アンテナポートのCSI-RSを用いて組み合わせにより12アンテナポートのCSI-RSを構成する。従来の標準において、各リソースブロック中での例えば2、4又は8アンテナポートのCSI-RSを伝送用のリソース要素が既に定義されているため、１つ又は複数のリソースブロックから一部の元々2、4又は8アンテナポートのCSI-RSを伝送用のリソース要素を選択することで、組み合わせによってより多くのアンテナポートのCSI-RSを伝送用のリソース要素組を得ることができ、これにより、大規模アンテナシステムのパフォーマンスの十分な発揮に有利であり、そして、大量アンテナによるシステム容量利得を更に取得することができる。また、使用するのが、元々2、4又は8アンテナポートのCSI-RSを伝送用のリソース要素であるので、CSI-RSがサポートする伝送用アンテナポートの数を拡張し得ると同時に、以前のユーザへの影響をできるだけ減少させることもできる。
【００２２】
前記リソース要素組が前記１つのリソースブロックに由来する時に、基地局は更に、向端末に指示シグナリングを送信することで、端末に関連情報を通知する必要がある。具体的には、該指示シグナリングは、ジョイント・シグナリング及び前記s組のリソース要素に対応するs個の構成シグナリングを含む。
【００２３】
ジョイント・シグナリングは、トータルのアンテナポート数nの数値、前記１つのリソースブロックの時間領域上の周期及び時間領域の周期中のオフセット、前記端末がチャネル状態情報をフィードバック時に想定するデータチャネルの伝送パワー比γiを含み；また、第Ai組のリソース要素に対応する構成シグナリングは、アンテナポート数mi、前記第Ai組のリソース要素の前記１つのリソースブロック中の位置を含む。これらの情報により、端末は、現在使用のリソースブロックの具体的な位置、具体的にどのリソース要素が使用されるか、及び、これらのリソース要素に対応するアンテナポートの数及び組み合わせされべきアンテナポートの総数などを把握することができるため、アンテナポートの数へのサポートを拡張し得る。
【００２４】
また、前記リソース要素組が前記r個のリソースブロックに由来する時に、基地局は更に、端末に指示シグナリングを送信し、これにより、端末に関連情報を通知する必要がある。具体的には、予め設定された情報の有無に基づいて、シグナリングを下記のように２種類に分けることができる。
【００２５】
第一類：予め設定された情報が存在する。予め設定された情報のタイプに基づいて、更に下記の場合に分けることもでき、即ち、
場合一：各リソースブロック中の被選リソース要素の位置が予め設定された。このとき、シグナリングは、ジョイント・シグナリング及び前記r個のリソースブロックに対応するr個の構成シグナリングを含み；
前記ジョイント・シグナリングは、トータルのアンテナポート数nの数値を含み；また、第Aj個目のリソースブロックに対応する構成シグナリングは、アンテナポート数mjの数値、前記第Aj個目のリソースブロックの位置情報及び前記端末がチャネル状態情報をフィードバック時し想定するデータチャネル伝送パワー比γjを含み；又は
前記ジョイント・シグナリングは、トータルのアンテナポート数nの数値、前記r個のリソースブロックのうちの指定リソースブロックの時間領域上の位置情報、前記第Aj個目のリソースブロックと前記指定リソースブロックとの間の相対位置情報及び前記端末がチャネル状態情報をフィードバックする時に想定するデータチャネル伝送パワー比γjを含み；及び、第Aj個目のリソースブロックに対応する構成シグナリングは、アンテナポート数mjの数値を含む。
【００２６】
場合二：前記r個のリソースブロックが時間領域の異なるサブフレームに位置するときに、前記r個のリソースブロックの時間領域上のオフセットが予め設定された、又は、前記r個のリソースブロックが周波数領域の異なるサブキャリアに位置するときに、前記r個のリソースブロックの周波数領域上のオフセットが予め設定された。このとき、指示シグナリングは、アンテナポート数mjの数値、トータルのアンテナポート数nの数値、前記r個のリソースブロックのうちの指定リソースブロックの時間領域上の位置情報（周期及びオフセット）、前記端末がチャネル状態情報をフィードバックする時に想定するデータチャネルの伝送パワー比γjを含む。
【００２７】
第二類：予め設定された参数が存在しない。このとき、指示シグナリングは、ジョイント・シグナリング及び前記r個のリソースブロックに対応するr個の構成シグナリングを含み、そのうち、この２種類のシグナリングが情報を含む状況に基づいて、更に下記のように分けることもでき、即ち、
場合一：前記ジョイント・シグナリングは、トータルのアンテナポート数nの数値を含み；また、第Aj個目のリソースブロックに対応する構成シグナリングは、アンテナポート数mjの数値、前記第Aj個目のリソースブロック中の被選リソース要素の所在位置情報、前記第Aj個目のリソースブロックの位置情報及び前記端末がチャネル状態情報をフィードバックする時に想定するデータチャネルの伝送パワー比γjを含む。
【００２８】
そのうち、前記r個のリソースブロックが時間領域の異なるサブフレームに位置するときに、
前記第Aj個目のリソースブロックの位置情報は、周期情報及びオフセット情報を含み、前記周期情報は、前記第Aj個目のリソースブロックの時間領域上の周期を指示用であり、前記オフセット情報は、前記第Aj個目のリソースブロックの時間領域周期中のオフセットを指示用であり；又は
前記r個のリソースブロックが周波数領域の異なるサブキャリアに位置するときに、
前記第Aj個目のリソースブロックの位置情報は、周期情報及びオフセット情報を含み、前記周期情報は、前記第Aj個目のリソースブロックの時間領域上の周期を指示用であり、前記オフセット情報は、前記第Aj個目のリソースブロックの周波数領域上のオフセットを指示用である。
【００２９】
場合二：前記ジョイント・シグナリングは、トータルのアンテナポート数nの数値、前記第Aj個目のリソースブロックと前記r個のリソースブロックのうちの指定リソースブロックとの間の相対位置情報、及び前記端末がチャネル状態情報をフィードバックする時に想定するデータチャネルの伝送パワー比γjを含み；また、第Aj個目のリソースブロックに対応する構成シグナリングは、アンテナポート数mjの数値及び前記第Aj個目のリソースブロック中の被選リソース要素の所在位置情報を含む。
【００３０】
そのうち、前記r個のリソースブロックが時間領域の異なるサブフレームに位置するときに、
前記相対位置情報は、前記r個のリソースブロックのうちの指定リソースブロックの位置情報及びオフセット情報を含み、前記オフセット情報は、前記第Aj個目のリソースブロックと前記指定リソースブロックとの時間領域上のオフセットを指示用であり；又は
前記r個のリソースブロックが周波数領域の異なるサブキャリアに位置すときに、
前記相対位置情報は、前記r個のリソースブロックのうちの指定リソースブロックの位置情報及びオフセット情報を含み、前記オフセット情報は、前記第Aj個目のリソースブロックと前記指定リソースブロックとの周波数領域上のオフセットを指示用である。
【００３１】
そのうち、リソースブロックの時間領域上の周期及びシフトなどの情報については、表1により得ることができ、
【００３２】
【表１】
2016509785.tif 000003
また、CSI-RSを伝送用のサブフレームは、
【００３３】
【数１】
2016509785.tif 000004
を満足する必要がある。
【００３４】
しかし、シグナリングのメッセージ交互の場合については、図5Bに示すように、その交互のフローチャートは、下記のステップを含む。
【００３５】
ステップ502B：基地局は、ジョイント・シグナリング及び構成シグナリングを端末に送信する。ここで、もし２つのリソースブロックに基づいて組み合わせにより16アンテナポートのCSI-RSを構成した場合、端末は、１つのジョイント・シグナリング及び２つの構成シグナリングを受信する。
【００３６】
ステップ504B：端末はそれぞれ、得た構成シグナリングを解析し、そして、ジョイント・シグナリングに基づいて、完全の総合的メッセージを得る。
【００３７】
ステップ506B：前記総合的メッセージに基づいて、基地局が使用するPMI/CQI情報などを推定し、また、具体的なアルゴリズムは、ユーザにより設置されても良く、例えば、マトリックスの特徴を用いて推定を行っても良い。
【００３８】
なお、本発明の技術案では、各組の被選リソース要素に対応するアンテナポート数mj及び組み合わせ後の総アンテナポート数nの値を提供している。事実上、この数値を提供しなければ、端末が例えば２つの8アンテナポートのCSI-RSを受信した後に、“加法的”形式で組み合わせにより16アンテナポートのCDI-RSを構成すると黙認し、例えば２つの4アンテナポートのCSI-RSを受信した後に、“加法的”形式で組み合わせにより8アンテナポートのCDI-RSを構成すると黙認し；しかしながら、指示シグナリングを使用すると、リソースブロックの組み合わせをより柔軟にさせることができ、例えば該16アンテナポートは、２つの8アンテナポートを以て“加法的な”形式で組み合わせられたものであっても良く、２つの4アンテナポートを以て“乗法的”形式で組み合わせされたものであっても良い。
【００３９】
以下、8アンテナポートのCSI-RSの図様を用いて設計により得られた16アンテナポートのCSI-RSの図様を例とし、本発明の技術案について詳細に説明する。なお、当業者が理解すべきは、mアンテナポートのCSI-RSの図様を用いてnアンテナポートのCSI-RSの図様を設計する時に、理論上で、mアンテナポートのCSI-RSの図様が既知であり且つn＞mであることを満足することができれば、本発明の技術案により実現し得るということである。
【００４０】
ノーマル・サイクリック・プレフィックス・サブフレーム
図3（c）に示すように、それは、１つのリソースブロックの構造を示す図であり、そのうち、周波数領域上では12個のサブキャリアを含み、順にk=0〜11と記され、時間領域上では14個のOFDM符号を含む、順にl=0〜13と記され、この場合、8アンテナポートのCSI-RSが占用するリソース要素を5組に分けることができ、即ち、第一組は、周波数領域上で第3、4、9、10個目のサブキャリアであり且つ時間領域上で第6、7個目のOFDM符号であるのに対応するリソース要素（即ち、k=2、3、8、9且つl=5、6のリソース要素）を含み；第二組は、周波数領域上で第5、6、11、12個目のサブキャリアであり且つ時間領域上で第10、11個目のOFDM符号であるのに対応するリソース要素（即ち、k=4、5、10、11且つl=9、10のリソース要素）を含み；第三組は、周波数領域上で第3、4、9、10個目のサブキャリアであり且つ時間領域上で第10、11個目のOFDM符号であるのに対応するリソース要素（即ち、k=2、3、8、9且つl=9、10のリソース要素）を含み；第四組は、周波数領域上で第1、2、7、8個目のサブキャリアであり且つ時間領域上で第10、11個目のOFDM符号であるのに対応するリソース要素（即ち、k=0、1、6、7且つl=9、10のリソース要素）を含み；第五組は、周波数領域上で第3、4、9、10個目のサブキャリアであり且つ時間領域上で第13、14個目のOFDM符号であるのに対応するリソース要素（即ち、k=2、3、8、9且つl=12、13のリソース要素）を含む。
【００４１】
実施例一
１つのリソースブロック中の5組のリソース要素から2組を選択し、これにより、16アンテナポートのCSI-RSの図様を構成する。
【００４２】
理論上で、5組のリソース要素中の任意の2組が全て１つの16アンテナポートのCSI-RSの図様を構成することができ、それは、16アンテナポートのCSI-RSを伝送用である。異なるセルが使用するCSI-RSができるだけインタリーブするようにさせることで、境界にあるユーザのチャネル測定品質を保証することを考慮すると、多くのセルの使用のための多くのCSI-RSの図様を設計する必要がる。比較的簡潔な方法は、連続（先に時間領域でその後に周波数領域と言う並べ替え）した２つの8アンテナポートのCSI-RSの図様を組み合わせて１つの16ポートCSI-RSの図様を図6に示すように構成し、１つのリソースブロックには上述の5組のリソース要素が含まれ、第一組及び第二組のリソース要素を組み合わせて１つのリソース要素組を構成しても良く；又は、第三組及び第四組のリソース要素を組み合わせてもう１つのリソース要素組を構成しても良く、この場合、それぞれこの２つのリソース要素組を用いて16アンテナポートのCSI-RSの伝送を実現することができ、具体的には、下記のことを含む。
【００４３】
各前記リソースブロック中から、周波数領域上で第3、4、9、10個目のサブキャリアに位置し且つ時間領域上で第6、7個目のOFDM符号に位置するリソース要素、周波数領域上第5、6、11、12個目のサブキャリアに位置し且つ時間領域上で第10、11個目のOFDM符号に位置するリソース要素を選択して、前記リソース要素組を構成し、又は、周波数領域上で第1、2、3、4、7、8、9、10個目のサブキャリアに位置し且つ時間領域上で第10、11個目のOFDM符号に位置するリソース要素を選択して、前記リソース要素組を構成する。
【００４４】
もう１つの場合、比較的良いチャネルの推定パフォーマンスを得るために、16アンテナポートのCSI-RSに対応するリソース要素が全て１つのリソースブロック内に均一分布しても良く、図7に示すように、第一組及び第二組のリソース要素を組み合わせて、１つのリソース要素組を構成しても良く；又は、第四組及び第五組のリソース要素を組み合わせて、もう１つのリソース要素組を構成しても良く、この場合、それぞれこの２つのリソース要素組を用いて16アンテナポートのCSI-RSの伝送を実現することができ、具体的には、下記のことを含む。
【００４５】
各前記リソースブロックから、周波数領域上で第3、4、9、10個目のサブキャリアに位置し且つ時間領域上で第6、7個目のOFDM符号に位置するリソース要素、周波数領域上で第5、6、11、12個目のサブキャリアに位置し且つ時間領域上で第10、11個目のOFDM符号に位置するリソース要素を選択して、前記リソース要素組を構成し、又は、周波数領域上で第1、2、7、8個目のサブキャリアに位置し且つ時間領域上で第10、11個目のOFDM符号に位置するリソース要素、周波数領域上で第3、4、9、10個目のサブキャリアに位置し且つ時間領域上で第13、14個目のOFDM符号に位置するリソース要素を選択して、前記リソース要素組を構成する。
【００４６】
実施例二
第一リソースブロック中の5組のリソース要素から1組を選択し、第二リソースブロック中の5組のリソース要素から1組を選択し、これにより、16アンテナポートのCSI-RSの図様を構成し、そのうち、第一リソースブロック及び第二リソースブロックは、時間領域の異なるサブフレームに位置する。
【００４７】
このような方式が“時間領域バインディング”と称され、時間領域の異なる２つのリソースブロックを以て１つの16アンテナポートのCSI-RSの図様を構成することを指す。理論上で、任意の２つの時間領域の異なるサブフレームを用いて構成しても良いが、比較的良いチャネル推定品質を得るために、時間領域ができるだけ近い２つのサブフレームを以て構成したほうが良い。
【００４８】
１つの具体的な時間領域バインディングの方式では、２つのサブフレームの位置が同じの8アンテナポートのCSI-RSを組み合わせて１つの16アンテナポートのCSI-RSを構成しても良く、具体的には、図8Aに示すように、左側がサブフレーム1で、右側がサブフレーム2であるとすると、サブフレーム1及びサブフレーム2中の同じ組に属するリソース要素を組み合わせることで5個のリソース要素組を得ることができ（例えば、サブフレーム1中の第一組に属するリソース要素及びサブフレーム2中の第一組に属するリソース要素を組み合わせて１つのリソース要素組を構成し、これに基づいて類推すると、トータルで5個のリソース要素組を取得することができる。）、そして、この5個のリソース要素組をそれぞれ用いて16アンテナポートのCSI-RSの伝送を実現することができ、具体的な構造方式は、下記のことを含む。
【００４９】
前記第一リソースブロック（例えば、図8A中のサブフレーム1であり、以下、同様である。）から、周波数領域上で第3、4、9、10個目のサブキャリアに位置し且つ時間領域上で第6、7個目のOFDM符号に位置するリソース要素を選択し、前記第二リソースブロック（例えば、図8A中のサブフレーム2であり、以下、同様である。）から、周波数領域上で第3、4、9、10個目のサブキャリアに位置し且つ時間領域上で第6、7個目のOFDM符号に位置するリソース要素を選択し、これにより、前記リソース要素組を構成し；又は
前記第一リソースブロックから、周波数領域上で第5、6、11、12個目のサブキャリアに位置し且つ時間領域上で第10、11個目のOFDM符号に位置するリソース要素を選択し、前記第二リソースブロックから、周波数領域上で第5、6、11、12個目のサブキャリアに位置し且つ時間領域上で第10、11個目のOFDM符号に位置するリソース要素を選択し、これにより、前記リソース要素組を構成し；又は
前記第一リソースブロックから、周波数領域上で第3、4、9、10個目のサブキャリアに位置し且つ時間領域上で第10、11個目のOFDM符号に位置するリソース要素を選択し、前記第二リソースブロックから、周波数領域上で第3、4、9、10個目のサブキャリアに位置し且つ時間領域上で第10、11個目のOFDM符号に位置するリソース要素を選択し、これにより、前記リソース要素組を構成し；又は
前記第一リソースブロックから、周波数領域上で第1、2、7、8個目のサブキャリアに位置し且つ時間領域上で第10、11個目のOFDM符号に位置するリソース要素を選択し、前記第二リソースブロックから、周波数領域上で第1、2、7、8個目のサブキャリアに位置し且つ時間領域上で第10、11個目のOFDM符号に位置するリソース要素を選択し、これにより、前記リソース要素組を構成し；又は
前記第一リソースブロックから、周波数領域上で第3、4、9、10個目のサブキャリアに位置し且つ時間領域上で第13、14個目のOFDM符号に位置するリソース要素を選択し、前記第二リソースブロックから、周波数領域上で第3、4、9、10個目のサブキャリアに位置し且つ時間領域上で第13、14個目のOFDM符号に位置するリソース要素を選択し、これにより、前記リソース要素組を構成する
もう１つの場合、比較的良いチャネルの推定パフォーマンスを得るために、16アンテナポートのCSI-RSに対応するリソース要素が２つのリソースブロック内に均一分布しても良く、図8Bに示すように、第一リソースブロック内の第一組及び第二リソースブロック内の第二組のリソース要素を組み合わせても良く、又は、第一リソースブロック内の第二組及び第二リソースブロック内の第三組のリソース要素を組み合わせても良く、又は、第一リソースブロック内の第三組及び第二リソースブロック内の第四組のリソース要素を組み合わせても良く、又は、第一リソースブロック内の第四組及び第二リソースブロック内の第五組のリソース要素を組み合わせても良く、又は、第一リソースブロック内の第五組及び第二リソースブロック内の第一組のリソース要素を組み合わせても良く、そして、この5個のリソース要素組をそれぞれ用いて16アンテナポートのCSI-RSの伝送を実現することができ、具体的な構造方式は、下記のことを含む。
【００５０】
前記第一リソースブロックから、周波数領域上で第3、4、9、10個目のサブキャリアに位置し且つ時間領域上で第6、7個目のOFDM符号に位置するリソース要素を選択し、前記第二リソースブロックから、周波数領域上で第5、6、11、12個目のサブキャリアに位置し且つ時間領域上で第10、11個目のOFDM符号に位置するリソース要素を選択し、これにより、前記リソース要素組を構成し；又は
前記第一リソースブロックから、周波数領域上で第5、6、11、12個目のサブキャリアに位置し且つ時間領域上で第10、11個目のOFDM符号に位置するリソース要素を選択し、前記第二リソースブロックから、周波数領域上で第3、4、9、10個目のサブキャリアに位置し且つ時間領域上で第10、11個目のOFDM符号に位置するリソース要素を選択し、これにより、前記リソース要素組を構成し；又は
前記第一リソースブロックから、周波数領域上で第3、4、9、10個目のサブキャリアに位置し且つ時間領域上で第10、11個目のOFDM符号に位置するリソース要素を選択し、前記第二リソースブロックから、周波数領域上で第1、2、7、8個目のサブキャリアに位置し且つ時間領域上で第10、11個目のOFDM符号に位置するリソース要素を選択、これにより、前記リソース要素組を構成し；又は
前記第一リソースブロックから、周波数領域上で第1、2、7、8個目のサブキャリアに位置し且つ時間領域上で第10、11個目のOFDM符号に位置するリソース要素を選択し、前記第二リソースブロックから、周波数領域上で第3、4、9、10個目のサブキャリアに位置し且つ時間領域上で第13、14個目のOFDM符号に位置するリソース要素を選択し、これにより、前記リソース要素組を構成し；又は
前記第一リソースブロックから、周波数領域上で第3、4、9、10個目のサブキャリアに位置し且つ時間領域上で第13、14個目のOFDM符号に位置するリソース要素を選択し、前記第二リソースブロックから、周波数領域上で第3、4、9、10個目のサブキャリアに位置し且つ時間領域上で第6、7個目のOFDM符号に位置するリソース要素を選択し、これにより、前記リソース要素組を構成する。
【００５１】
また、CSI-RSがシステムが構成した周期及び固定のオフセットに従って伝送される必要がある。（具体的には表1に示す）よって、“時間領域バインディング”を採用して16アンテナポートのCSI-RSを構成する時に、第一リソースブロック及び第二リソースブロックの間の関係を定義する必要があり、具体的には下記のように２種類の方式を含む。
【００５２】
第一種は暗黙の方法であり、即ち、予め、標準（規格）において２つのサブフレーム（第一リソースブロック及び第二リソースブロック）の関係を明確に規定する。そうすると、標準中の規定に基づいて、第１個目のサブフレームは、R10と同様に、周期及びオフセットの組み合わせの定義方法を採用し（即ち、従来の8アンテナポートのCSI-RSについての規定に準じる。）、この場合、第２個目のサブフレームと第１個目のサブフレームとの間の関係は、標準に定義の規則を採用し、例えば、連続した２つのサブフレームである。
【００５３】
第二種は明示の方法であり、即ち、第１個目のサブフレームが、R10と同様に、周期及びオフセットの組み合わせの定義方法を採用する時に、標準に第２個目のサブフレームの周期及びオフセットを指示用の１つのシグナリングを新しく追加する必要がある。特に、もし２つのサブフレームの周期が同じであるとき、２組のアンテナポートのサブフレームオフセットが比較的小さいことを考慮すると、指示を行うための１つのみのサブフレームオフセットを追加する必要がある。具体的には、上述の新しく増加されたシグナリングを送信する時に、例えば、RRC（Radio  Resource  Control）を採用して送信することができる。
【００５４】
実施例三
第一リソースブロック中の5組のリソース要素から1組を選択し、第二リソースブロック中の5組のリソース要素から1組を選択し、これにより、16アンテナポートのCSI-RSの図様を構成し、そのうち、第一リソースブロック及び第二リソースブロックは周波数領域の異なるサブキャリアに位置する。
【００５５】
このような方式が“周波数領域バインディング”と称され、周波数領域の異なる２つのリソースブロックを以て１つの16アンテナポートのCSI-RSの図様を構成することを指す。理論上で任意の２つの周波数領域の異なるサブフレームを用いて構成しても良いが、比較的良いチャネル推定品質を得るために、周波数領域ができるだけ近い２つのサブフレームを用いて構成したほうが良い。なお、LTE  R10/11システム中で、フルバンドを採用してCSI-RSを伝送するが、“周波数領域バインディング”方法により設計されるCSI-RSを採用した後に、一部のバンドのみを採取して伝送を行うことができるので、バンドへの占用を軽減することができる。
【００５６】
１つの具体的な周波数領域バインディングの方式では、２つのサブフレームの位置が同じの8アンテナポートのCSI-RSを組み合わせて１つの16アンテナポートのCSI-RSを構成しても良く、具体的には、図9に示すように、上側がサブフレーム1で、下側がサブフレーム2であるとすると、サブフレーム1及びサブフレーム2中の同じ組に属するリソース要素を組み合わせることで（例えば、サブフレーム1中の第一組に属するリソース要素及びサブフレーム2中の第一組に属するリソース要素を組み合わせて１つのリソース要素組を構成し、これに基づいて類推すると、トータルで5個のリソース要素組を構成することができる）、5個のリソース要素組を得ることができ、そして、この5個のリソース要素組をそれぞれ用いて16アンテナポートのCSI-RSの伝送を実現することができ、具体的な構造方式は、下記のことを含む。
【００５７】
前記第一リソースブロック（例えば、図9中のサブフレーム1であり、以下、同様である。）から、周波数領域上で第3、4、9、10個目のサブキャリアに位置し且つ時間領域上で第6、7個目のOFDM符号に位置するリソース要素を選択し、前記第二リソースブロック（例えば、図9中のサブフレーム2であり、以下、同様である。）から、周波数領域上で第3、4、9、10個目のサブキャリアに位置し且つ時間領域上で第6、7個目のOFDM符号に位置するリソース要素を選択し、これにより、前記リソース要素組を構成し；又は
前記第一リソースブロックから、周波数領域上で第5、6、11、12個目のサブキャリアに位置し且つ時間領域上で第10、11個目のOFDM符号に位置するリソース要素を選択し、前記第二リソースブロックから、周波数領域上で第5、6、11、12個目のサブキャリアに位置し且つ時間領域上で第10、11個目のOFDM符号に位置するリソース要素を選択し、これにより、前記リソース要素組を構成し；又は
前記第一リソースブロックから、周波数領域上で第3、4、9、10個目のサブキャリアに位置し且つ時間領域上で第10、11個目のOFDM符号に位置するリソース要素を選択し、前記第二リソースブロックから、周波数領域上で第3、4、9、10個目のサブキャリアに位置し且つ時間領域上で第10、11個目のOFDM符号に位置するリソース要素を選択し、これにより、前記リソース要素組を構成し；又は
前記第一リソースブロックから、周波数領域上で第1、2、7、8個目のサブキャリアに位置し且つ時間領域上で第10、11個目のOFDM符号に位置するリソース要素を選択し、前記第二リソースブロックから、周波数領域上で第1、2、7、8個目のサブキャリアに位置し且つ時間領域上で第10、11個目のOFDM符号に位置するリソース要素を選択し、これにより、前記リソース要素組を構成し；又は
前記第一リソースブロックから、周波数領域上で第3、4、9、10個目のサブキャリアに位置し且つ時間領域上で第13、14個目のOFDM符号に位置するリソース要素を選択し、前記第二リソースブロックから、周波数領域上で第3、4、9、10個目のサブキャリアに位置し且つ時間領域上で第13、14個目のOFDM符号に位置するリソース要素を選択し、これにより、前記リソース要素組を構成する。
【００５８】
また、CSI-RSが表1に示すような周期及びオフセットに従って伝送される必要があるので、“周波数領域バインディング”を採用して16アンテナポートのCSI-RSを構成する時に、“時間領域バインディング”の方法と同様に、第一リソースブロック及び第二リソースブロックの間の関係を定義する必要があり、具体的には下記のように２種類の方式を含む。
【００５９】
第一種は暗黙の方法であり、即ち、予め、標準において２つのサブフレーム（第一リソースブロック及び第二リソースブロック）の関係を明確に規定する。この場合、標準中の規定に基づいて、第１個目のサブフレームが、R10と同様に周期及びオフセットの組み合わせの定義方法を採用し（即ち、来のの8アンテナポートのCSI-RSについての規定に準じる。）、そうすると、第２個目のサブフレームと第１個目のサブフレームとの間の関係は、標準に定義された規則を採用する。
【００６０】
第二種は明示の方法であり、即ち、第１個目のサブフレームが、R10と同様に周期及びオフセットの組み合わせの定義方法を採用する時に、標準に第２個目のサブフレームの周期及びオフセットを指示用の１つのシグナリングを新しく追加する必要がある。例えば、M個のリソースブロック中のオフセットがmであるリソースブロック中でCSI-RS中の前の１組のリソース要素が出現し、N個のリソースブロック中のオフセットがnであるリソースブロック中でCSI-RS中の後の１組のリソース要素が出現する。具体的には、上述の新しく増加されたシグナリングを送信する時に、例えば、RRC（Radio  Resource
Control）を採用して送信することができる。
【００６１】
実施例四
１つのリソースブロック中の5組のリソース要素及び他の新しく増加されたリソース要素から2組を選択し、これにより、16アンテナポートのCSI-RSの図様を構成する。
【００６２】
16ポートのCSI-RSを設計する時に以前のバージョンのユーザへの影響を許すことができるなら、幾つかのリソース位置を適切に増やすこともできる。強化制御チャネル（E-PDCCH）の導入に伴って、幾つかのサブフレームの制御チャネル（PDCCH）が２つのOFDM符号にあると制御され得るということを考慮すると、他のOFDM符号下でのリソース要素をCSI-RS伝送のためにさせることができる。具体的な設計図様は図10に示すようであり、そのうち、陰影部分にあるリソース要素は本発明中で新しく増加されたリソース要素であり、時間領域上で第3、4個目のOFDM符号に位置する全てのリソース要素、周波数領域上で第5、8個目のサブキャリアに位置し且つ時間領域上で第6、7、13、14個目のOFDM符号に位置するリソース要素を含む。
【００６３】
これらの新しく増加されたリソース要素及び元々既に存在する5組のリソース要素を用いて構成された16アンテナポートのCSI-RSを伝送するための設計図様は図11に示すようである。
【００６４】
各前記リソースブロックから、周波数領域上で第5、6、11、12個目のサブキャリアに位置し且つ時間領域上で第3、4個目のOFDM符号に位置するリソース要素、周波数領域上で第3、4、9、10個目のサブキャリアに位置し且つ時間領域上で第10、11個目のOFDM符号に位置するリソース要素を選択し、これにより、前記リソース要素組を構成し；又は
各前記リソースブロックから、周波数領域上で第3、4、9、10個目のサブキャリアに位置し且つ時間領域上で第3、4個目のOFDM符号に位置するリソース要素、周波数領域上で第1、2、7、8個目のサブキャリアに位置し且つ時間領域上で第10、11個目のOFDM符号に位置するリソース要素を選択し、これにより、前記リソース要素組を構成し；又は
各前記リソースブロックから、周波数領域上で第1、2、7、8個目のサブキャリアに位置し且つ時間領域上で第3、4個目のOFDM符号に位置するリソース要素、周波数領域上で第3、4、9、10個目のサブキャリアに位置し且つ時間領域上で第13、14個目のOFDM符号に位置するリソース要素を選択し、これにより、前記リソース要素組を構成し；又は
各前記リソースブロックから、周波数領域上で第3、4、9、10個目のサブキャリアに位置し且つ時間領域上で第6、7個目のOFDM符号に位置するリソース要素、周波数領域上で第5、6、11、12個目のサブキャリアに位置し且つ時間領域上で第10、11個目のOFDM符号に位置するリソース要素を選択し、これにより、前記リソース要素組を構成する。
【００６５】
拡張サイクリック・プレフィックス・サブフレーム
図4（c）に示すように、それは、１つのリソースブロックの構造を示す図であり、そのうち、周波数領域上で12個のサブキャリアを含み、順にk=0〜11と記され、時間領域上で12個のOFDM符号を含み、順にl=0〜11と記され、この場合、8アンテナポートのCSI-RSが占用するリソース要素を4組に分けることができ、即ち、第一組は、周波数領域上で第3、6、9、12個目のサブキャリアであり且つ時間領域上で第5、6個目のOFDM符号であるのに対応するリソース要素（即ち、k=2、5、8、11且つl=4、5のリソース要素）を含み；第二組は、周波数領域上で第1、4、7、10個目のサブキャリアであり且つ時間領域上で第5、6個目のOFDM符号であるのに対応するリソース要素（即ち、k=0、3、6、9且つl=4、5のリソース要素）を含み；第三組は、周波数領域上で第2、5、8、11個目のサブキャリアであり且つ時間領域上で第11、12個目のOFDM符号であるのに対応するリソース要素（即ちk=1、4、7、10且つl=10、11のリソース要素）を含み；第四組は、周波数領域上で第1、4、7、10個目のサブキャリアであり且つ時間領域上で第11、12個目のOFDM符号であるのに対応するリソース要素（即ちk=0、3、6、9且つl=10、11のリソース要素）を含む。
【００６６】
実施例一
１つのリソースブロック中の4組のリソース要素から2組を選択し、これにより、16アンテナポートのCSI-RSの図様を構成する。
【００６７】
理論上で4組のリソース要素中の任意2組が全て１つの16アンテナポートのCSI-RSの図様を構成することができ、それは、16アンテナポートのCSI-RSを伝送用である。異なるセルが使用するCSI-RSができるだけインタリーブするようにさせることで、境界にあるユーザのチャネル測定品質を保証するということを考慮すると、多くのセルの使用のための多くのCSI-RSの図様を設計する必要がある。比較的簡潔な方法は、連続した（先に時間領域でその後に周波数領域と言う並べ替え）２つの8アンテナポートのCSI-RSの図様を組み合わせて１つの16ポートCSI-RSの図様を構成するものであり、図12に示すように、１つのリソースブロックには上述の4組のリソース要素が含まれ、第一組及び第二組のリソース要素を組み合わせて、１つのリソース要素組を構成してもよく；又は第三組及び第四組のリソース要素を組み合わせて、もう１つのリソース要素組を構成しても良く、この場合、この２つのリソース要素組をそれぞれ用いて16アンテナポートのCSI-RSの伝送を実現することができ、具体的には下記のことを含む。
【００６８】
各前記リソースブロックから、周波数領域上で第1、3、4、6、7、9、10、12個目のサブキャリアに位置し且つ時間領域上で第5、6個目のOFDM符号に位置するリソース要素を選択し、これにより、前記リソース要素組を構成し、又は、選択周波数領域上で第1、2、4、5、7、8、10、11個目のサブキャリアに位置し且つ時間領域上で第11、12個目のOFDM符号に位置するリソース要素を選択し、これにより、前記リソース要素組を構成する。
【００６９】
もう１つの場合、比較的良いチャネルの推定パフォーマンスを得るために、16アンテナポートのCSI-RSに対応するリソース要素が１つのリソースブロック内に均一分布して良く、図13Aに示すように、第一組及び第四組のリソース要素を組み合わせて、１つのリソース要素組を構成しても良く；又は、第二組及び第三組のリソース要素を組み合わせて、もう１つのリソース要素組を構成しても良く、この場合、この２つのリソース要素組をそれぞれ用いて16アンテナポートのCSI-RSの伝送を実現することができ、具体的には、下記のことを含む。
【００７０】
各前記リソースブロックから、周波数領域上で第3、6、9、12個目のサブキャリアに位置し且つ時間領域上で第5、6個目のOFDM符号に位置するリソース要素、周波数領域上で第1、4、7、10個目のサブキャリアに位置し且つ時間領域上で第11、12個目のOFDM符号に位置するリソース要素を選択し、これにより、前記リソース要素組を構成し、又は、周波数領域上で第1、4、7、10個目のサブキャリアに位置し且つ時間領域上で第5、6個目のOFDM符号に位置するリソース要素、周波数領域上で第2、5、8、11個目のサブキャリアに位置し且つ時間領域上で第11、12個目のOFDM符号に位置するリソース要素を選択し、これにより、前記リソース要素組を構成する。
【００７１】
もう１つの場合、図13Bに示すように、第一組及び第三組のリソース要素を組み合わせて、１つのリソース要素組を構成しても良く；又は、第二組及び第四組のリソース要素を組み合わせて、もう１つのリソース要素組を構成しても良く、この場合、この２つのリソース要素組をそれぞれ用いて16アンテナポートのCSI-RSの伝送を実現することができ、具体的には下記のことを含む。
【００７２】
各前記リソースブロックから、選択周波数領域上で第3、6、9、12個目のサブキャリアに位置し且つ時間領域上で第5、6個目のOFDM符号に位置するリソース要素、周波数領域上で第2、5、8、11個目のサブキャリアに位置し且つ時間領域上で第11、12個目のOFDM符号に位置するリソース要素を選択し、これにより、前記リソース要素組を構成し、又は周波数領域上で第1、4、7、10個目のサブキャリアに位置し且つ時間領域上で第5、6個目のOFDM符号に位置するリソース要素、周波数領域上で第1、4、7、10個目のサブキャリアに位置し且つ時間領域上で第11、12個目のOFDM符号に位置するリソース要素を選択し、これにより、前記リソース要素組を構成する。
【００７３】
実施例二
第一リソースブロック中の4組のリソース要素から1組を選択し、第二リソースブロック中の4組のリソース要素から1組を選択し、これにより、16アンテナポートのCSI-RSの図様を構成し、そのうち、第一リソースブロック及び第二リソースブロックは時間領域の異なるサブフレームに位置する。
【００７４】
該方式も同様に“時間領域バインディング”に属し、理論上で任意の２つの時間領域の異なるサブフレームにより構成しても良いが、比較的良いチャネル推定品質を得るために、時間領域ができるだけ近い２つのサブフレームを用いて構成したほうが良い。
【００７５】
１つの具体的な時間領域バインディングの方式では、２つのサブフレームの位置が同じの8アンテナポートのCSI-RSを組み合わせて１つの16アンテナポートのCSI-RSを構成しても良く、具体的には図14に示すように、左側がサブフレーム1で、右側がサブフレーム2であるとすると、サブフレーム1及びサブフレーム2中の同じ組に属するリソース要素を組み合わせることで（例えば、サブフレーム1中の第一組に属するリソース要素及びサブフレーム2中の第一組に属するリソース要素を組み合わせて１つのリソース要素組を構成しても良く、これに基づいて類推すると、トータルで4個のリソース要素組を構成することができる、）、4個のリソース要素組を得ることができ、そして、この4個のリソース要素組をそれぞれ用いて16アンテナポートのCSI-RSの伝送を実現することができ、具体的な構造方式は、下記のことを含む。
【００７６】
前記第一リソースブロック（例えば、図14中のサブフレーム1であり、以下、同様である。）から、周波数領域上で第3、6、9、12個目のサブキャリアに位置し且つ時間領域上で第5、6個目のOFDM符号に位置するリソース要素を選択し、前記第二リソースブロック（例えば、図14中のサブフレーム2であり、以下、同様である。）から、周波数領域上で第3、6、9、12個目のサブキャリアに位置し且つ時間領域上で第5、6個目のOFDM符号に位置するリソース要素を選択し、これにより、前記リソース要素組を構成し；又は
前記第一リソースブロックから、選択周波数領域上で第1、4、7、10個目のサブキャリアに位置し且つ時間領域上で第5、6個目のOFDM符号に位置するリソース要素を選択し、前記第二リソースブロックから、選択周波数領域上で第1、4、7、10個目のサブキャリアに位置し且つ時間領域上で第5、6個目のOFDM符号に位置するリソース要素を選択し、これにより、前記リソース要素組を構成し；又は
前記第一リソースブロックから、周波数領域上で第2、5、8、11個目のサブキャリアに位置し且つ時間領域上で第11、12個目のOFDM符号に位置するリソース要素を選択し、前記第二リソースブロックから、周波数領域上で第2、5、8、11個目のサブキャリアに位置し且つ時間領域上で第11、12個目のOFDM符号に位置するリソース要素を選択し、これにより、前記リソース要素組を構成し；又は
前記第一リソースブロックから、周波数領域上で第1、4、7、10個目のサブキャリアに位置し且つ時間領域上で第11、12個目のOFDM符号に位置するリソース要素を選択し、前記第二リソースブロックから、選択周波数領域上で第1、4、7、10個目のサブキャリアに位置し且つ時間領域上で第11、12個目のOFDM符号に位置するリソース要素を選択し、これにより、前記リソース要素組を構成する。
【００７７】
同様に、拡張サイクリック・プレフィックス・システム中で、“時間領域バインディング”を採用して16アンテナポートのCSI-RSを構成する時に、第一リソースブロック及び第二リソースブロックの間の関係を定義する必要があり、具体的な方式は、ノーマル・サイクリック・プレフィックス・システムとは同じであり、同様に暗黙及び明示の２種類の方法を含むため、ここでは詳しい説明を省略する。
【００７８】
実施例三
第一リソースブロック中の4組のリソース要素から1組を選択し、第二リソースブロック中の4組のリソース要素から1組を選択し、これにより、16アンテナポートのCSI-RSの図様を構成し、そのうち、第一リソースブロック及び第二リソースブロックは周波数領域の異なるサブキャリアに位置する。
【００７９】
該方式も同様に“周波数領域バインディング”に属し、理論上で任意２つの周波数領域の異なるサブフレームを用いて構成しても良いが、比較的良いチャネル推定品質を得るために、周波数領域ができるだけ近い２つのサブフレームを用いて構成したほうが良い。
【００８０】
１つの具体的な周波数領域バインディングの方式では、２つのサブフレームの位置が同じの8アンテナポートのCSI-RSを組み合わせて１つの16アンテナポートのCSI-RSを構成しても良く、具体的には図15に示すように、上側がサブフレーム1で、下側がサブフレーム2であるとすると、サブフレーム1及びサブフレーム2中の同じ組に属するリソース要素を組み合わせることで（例えば、サブフレーム1中の第一組に属するリソース要素及びサブフレーム2中の第一組に属するリソース要素を組み合わせて１つのリソース要素組を構成しても良く、これに基づいて類推すると、トータルで4個のリソース要素組を構成することができる。）、4個のリソース要素組を得ることができ、そして、この4個のリソース要素組をそれぞれ使用して16アンテナポートのCSI-RSの伝送を実現することができ、具体的な構造方式は、下記のことを含む。
【００８１】
前記第一リソースブロック（例えば、図15中のサブフレーム1であり、以下、同様である。）から、周波数領域上で第3、6、9、12個目のサブキャリアに位置し且つ時間領域上で第5、6個目のOFDM符号に位置するリソース要素を選択し、前記第二リソースブロック（例えば、図15中のサブフレーム2であり、以下、同様である。）から、周波数領域上で第3、6、9、12個目のサブキャリアに位置し且つ時間領域上で第5、6個目のOFDM符号に位置するリソース要素を選択し、これにより、前記リソース要素組を構成し；又は
前記第一リソースブロックから、周波数領域上で第1、4、7、10個目のサブキャリアに位置し且つ時間領域上で第5、6個目のOFDM符号に位置するリソース要素を選択し、前記第二リソースブロックから、選択周波数領域上で第1、4、7、10個目のサブキャリアに位置し且つ時間領域上で第5、6個目のOFDM符号に位置するリソース要素を選択し、これにより、前記リソース要素組を構成し；又は
前記第一リソースブロックから、選択周波数領域上で第2、5、8、11個目のサブキャリアに位置し且つ時間領域上で第11、12個目のOFDM符号に位置するリソース要素を選択し、前記第二リソースブロックから、周波数領域上で第2、5、8、11個目のサブキャリアに位置し且つ時間領域上で第11、12個目のOFDM符号に位置するリソース要素を選択し、これにより、前記リソース要素組を構成し；又は
前記第一リソースブロックから、周波数領域上で第1、4、7、10個目のサブキャリアに位置し且つ時間領域上で第11、12個目のOFDM符号に位置するリソース要素を選択し、前記第二リソースブロックから、選択周波数領域上で第1、4、7、10個目のサブキャリアに位置し且つ時間領域上で第11、12個目のOFDM符号に位置するリソース要素を選択し、これにより、前記リソース要素組を構成する。
【００８２】
同様に、拡張サイクリック・プレフィックス・システム中で、“周波数領域バインディング”を採用して16アンテナポートのCSI-RSを構成する時に、第一リソースブロック及び第二リソースブロックの間の関係を定義する必要があり、具体的な方式は、ノーマル・サイクリック・プレフィックス・システムとは同じであり、同様に暗黙及び明示の２種類の方法を含みため、ここでは詳しい説明を省略する。
【００８３】
実施例四
１つのリソースブロック中の4組のリソース要素及び他の新しく増加されたリソース要素から2組を選択し、これにより、16アンテナポートのCSI-RSの図様を構成する。
【００８４】
16ポートのCSI-RSを設計する時に以前のバージョンのユーザへの影響を許すことができるなら、適切に幾つかのリソース位置を増やしても良い。具体的な設計図様は図16に示すようであり、そのうち、陰影部分にあるリソース要素は、本発明中で新しく増加されたリソース要素であり、時間領域上で第2、3、8、9個目のOFDM符号に位置する全てのリソース要素を含む。
【００８５】
これらの新しく増加されたリソース要素及び元々既に存在する4組のリソース要素を用いて構成された16アンテナポートのCSI-RSを伝送用の設計図様は図17に示すようである。
【００８６】
前記リソースブロックから、周波数領域上で第3、6、9、12個目のサブキャリアに位置し且つ時間領域上で第5、6個目のOFDM符号に位置するリソース要素、周波数領域上で第2、5、8、11個目のサブキャリアに位置し且つ時間領域上で第8、9個目のOFDM符号に位置するリソース要素を選択し、これにより、前記リソース要素組を構成し；又は
各前記リソースブロックから、周波数領域上で第1、4、7、10個目のサブキャリアに位置し且つ時間領域上で第5、6、11、12個目のOFDM符号に位置するリソース要素を選択し、これにより、前記リソース要素組を構成し；又は
各前記リソースブロックから、周波数領域上で第3、6、9、12個目のサブキャリアに位置し且つ時間領域上で第8、9個目のOFDM符号に位置するリソース要素、周波数領域上で第2、5、8、11個目のサブキャリアに位置し且つ時間領域上で第11、12個目のOFDM符号に位置するリソース要素を選択し、これにより、前記リソース要素組を構成する。
【００８７】
図5に示す実行ステップに対応して、それ相応の基地局の構成は図18に示すようである。基地局1800は、データ処理モジュール1802を含み、それは、１つのリソースブロックからs組のリソース要素を選択用であり、第Ai組のリソース要素は、miアンテナポートのチャネル状態情報参照信号を伝送用のリソース要素であり、これにより、nアンテナポートのチャネル状態情報参照信号に対応するリソース要素組を構成し、そのうち、s＞1、n＞mi、1≦i≦sであり；又は、r個のリソースブロックから、第Aj個目のリソースブロックから少なくとも１つの、mjアンテナポートのチャネル状態情報参数信号を伝送用のリソース要素を選択し、そして、全ての選択されたリソース要素を用いてnアンテナポートのチャネル状態情報参照信号に対応するリソース要素組を構成し、そのうち、r＞1、n＞mj、1≦j≦rであり；基地局1800は更にデータ伝送モジュール1804を含み、それは、前記リソース要素組により、前記nアンテナポートのチャネル状態情報参照信号を１つ又は複数の端末に伝送用である。該技術案では、従来の標準において、各リソースブロック中での例えば2、4又は8アンテナポートのCSI-RSを伝送用のリソース要素が既に定義されているため、１つ又は複数のリソースブロックから一部の元々2、4又は8アンテナポートのCSI-RSを伝送用のリソース要素を選択することで、組み合わせによってより多くのアンテナポートのCSI-RSを伝送用のリソース要素組を得ることができ、これにより、大規模アンテナシステムのパフォーマンスの十分な発揮に有利であり、そして、大量アンテナによるシステム容量利得を更に取得することができる。また、使用するのが、元々2、4又は8アンテナポートのCSI-RSを伝送用のリソース要素であるので、CSI-RSがサポートする伝送用アンテナポートの数を拡張し得ると同時に、以前のユーザへの影響をできるだけ減少させることもできる。
【００８８】
好ましくは、前記リソース要素組来が前記１つのリソースブロックに由来する時に、前記データ伝送モジュール1804は更に前記端末に指示シグナリングを送信し、それは、第一ジョイント・シグナリング及び前記s組のリソース要素に対応するs個の第一構成シグナリングを含み、そのうち、前記第一ジョイント・シグナリングは、トータルのアンテナポート数nの数値、前記１つのリソースブロックの時間領域上での周期及び時間領域周期中のオフセット、前記端末がチャネル状態情報をフィードバック時に想定するデータチャネルの伝送パワー比γiを含み；また、第Ai組のリソース要素に対応する第一構成シグナリングは、アンテナポート数mi、前記第Ai組のリソース要素の前記１つのリソースブロック中の位置を含む。
【００８９】
好ましくは、前記リソース要素組が前記r個のリソースブロックに由来する時に、前記データ伝送モジュール1804は更に前記端末1800に指示シグナリングを送信し、それは、第二ジョイント・シグナリング及び前記r個のリソースブロックに対応するr個の第二構成シグナリングを含み、そのうち、前記第二ジョイント・シグナリングは、トータルのアンテナポート数nの数値を含み；また、第Aj個目のリソースブロックに対応する第二構成シグナリングは、アンテナポート数mjの数値、前記第Aj個目のリソースブロック中の被選リソース要素の所在位置情報、前記第Aj個目のリソースブロックの位置情報、及び前記端末がチャネル状態情報をフィードバック時に想定するデータチャネルの伝送パワー比γjを含む。
【００９０】
好ましくは、前記r個のリソースブロックが時間領域の異なるサブフレームに位置する時に、前記第Aj個目のリソースブロックの位置情報は、周期情報及びオフセット情報を含み、前記周期情報は、前記第Aj個目のリソースブロックの時間領域上での周期を指示用であり、前記オフセット情報は、前記第Aj個目のリソースブロックの時間領域周期中のオフセットを指示用であり；又は、前記r個のリソースブロックが周波数領域の異なるサブキャリアに位置する時に、前記第Aj個目のリソースブロックの位置情報は、時間領域情報及び周波数領域情報を含み、前記時間領域情報は、前記第Aj個目のリソースブロックの時間領域上での周期及びオフセットを指示用であり、前記周波数領域情報、前記第Aj個目のリソースブロックの周波数領域上の周期及びオフセットを指示用である。
【００９１】
好ましくは、前記リソース要素組が前記r個のリソースブロックに由来する時に、前記データ伝送モジュール1804は更に前記端末1800に指示シグナリングを送信し、それは、第三ジョイント・シグナリング及び前記r個のリソースブロックに対応するr個の第三構成シグナリングを含み、そのうち、前記第三ジョイント・シグナリングは、トータルのアンテナポート数nの数値、前記r個のリソースブロックのうちの指定リソースブロックの位置情報、前記第Aj個目のリソースブロックと前記r個のリソースブロックのうちの指定リソースブロックとの間の相対位置情報、及び前記端末がチャネル状態情報をフィードバック時に想定するデータチャネルの伝送パワー比γjを含み；また、第Aj個目のリソースブロックに対応する第三構成シグナリングは、アンテナポート数mjの数値及び前記第Aj個目のリソースブロック中の被選リソース要素の所在位置情報を含む。
【００９２】
好ましくは、前記r個のリソースブロックが時間領域の異なるサブフレームに位置する時に、前記相対位置情報はオフセット情報を含み、前記オフセット情報は、前記第Aj個目のリソースブロックと前記指定リソースブロックの時間領域上でのオフセットを指示用であり；又は、前記r個のリソースブロックが周波数領域の異なるサブキャリアに位置する時に、前記第三ジョイント・シグナリングは更に、前記r個のリソースブロックの時間領域上での周期及びオフセットを含み；また、前記相対位置情報は、オフセット情報を含み、前記オフセット情報は、前記第Aj個目のリソースブロックと前記指定リソースブロックの周波数領域上でのオフセットを指示用である。
【００９３】
好ましくは、更に、第一前（pre）設定モジュール1806を含み、前記r個のリソースブロックが時間領域の異なるサブフレームに位置する時に、前記r個のリソースブロックの時間領域上でのオフセット予め設定し、又は、前記r個のリソースブロックが周波数領域の異なるサブキャリアに位置する時に、前記r個のリソースブロックの周波数領域上でのオフセットを予め設定し；そのうち、前記リソース要素組が前記r個のリソースブロックに由来する時に、前記データ伝送モジュール1804は更に前記端末に指示シグナリングを送信し、前記指示シグナリングは、アンテナポート数mjの数値、トータルのアンテナポート数nの数値、前記r個のリソースブロックのうちの指定リソースブロックの時間領域上での位置情報、前記端末がチャネル状態情報をフィードバック時に想定するデータチャネルの伝送パワー比γjを含む。該技術案では、“暗黙”の方式で、第一リソースブロックと第二リソースブロックの周期及びオフセットの定義を実現している。具体的には、多くのリソースブロックの間の位置関係が協議や規格に記載されている時に、シグナリングにより端末に関連情報を通知する必要がないということを指す。
【００９４】
好ましくは、更に、第二前設定モジュール1808を含み、被選リソース要素の各リソースブロック中の位置を予め設定し；そのうち、前記リソース要素組が前記r個のリソースブロックに由来する時に、前記データ伝送モジュール1804は更に前記端末に指示シグナリングを送信し、前記指示シグナリングは第四ジョイント・シグナリング及び前記r個のリソースブロックに対応するr個の第四構成シグナリングを含み、そのうち、前記第四ジョイント・シグナリングはトータルのアンテナポート数nの数値を含み；又は、第Aj個目のリソースブロックに対応する第四構成シグナリングはアンテナポート数mjの数値、前記第Aj個目のリソースブロックの位置情報、及び前記端末がチャネル状態情報をフィードバック時に想定するデータチャネルの伝送パワー比γjを含み；又は、前記第四ジョイント・シグナリングは、トータルのアンテナポート数nの数値、前記r個のリソースブロックのうちの指定リソースブロックの時間領域上での位置情報、前記第Aj個目のリソースブロックと前記指定リソースブロックとの間の相対位置情報、及び前記端末がチャネル状態情報をフィードバック時に想定するデータチャネルの伝送パワー比γjを含み；また、第Aj個目のリソースブロックに対応する第四構成シグナリングは、アンテナポート数mjの数値を含む。該技術案では、リソース要素のリソースブロック中の位置情報が協議に記載されている時に、シグナリングにより端末に関連情報を通知する必要がないということを指す。
【００９５】
好ましくは、前記データ処理モジュール1802は具体的に、１つ又は２つのリソースブロックから２組を、8アンテナポートのチャネル状態情報参照信号を伝送用のリソース要素として選択し、各組のリソース要素の個数は8であり、これにより、16アンテナポートのチャネル状態情報参照信号に対応するリソース要素組を構成する。
【００９６】
好ましくは、各前記リソースブロックから、8アンテナポートのチャネル状態情報参照信号を伝送用のリソース要素が複数の組として構成され、そのうち、前記リソースブロックがノーマル・サイクリック・プレフィックス・サブフレームである時に、前記リソース要素が５つの組として構成され、前記リソースブロックが拡張サイクリック・プレフィックス・サブフレームである時に、前記リソース要素が４つの組として構成され、この場合、前記データ処理モジュール1802は、１つ前記リソースブロックに対応する複数の組の中の指定の２組を選択するために用いられ、又は、２つの前記リソースブロックから、第一リソースブロックに対応する複数の組の中の指定の１組及び第二リソースブロックに対応する複数の組の中の指定の１組を選択するために用いられ、これにより、選択された２組ののリソース要素を用いて16アンテナポートのチャネル状態情報参照信号に対応するリソース要素組を構成し、そのうち、前記第一リソースブロック及び前記第二リソースブロックは時間領域の異なるサブフレームに位置し、又は周波数領域の異なるサブキャリアに位置する。該技術案では、従来ののCSI-RSリソースにより16アンテナポートのCSI-RSに対応するリソース要素組を構成することで、以前のバージョンのユーザへの影響をできるだけ抑えることができる。
【００９７】
好ましくは、前記第一リソースブロック及び前記第二リソースブロックが時間領域の異なるサブフレームに位置する時に、前記第一リソースブロック中の選択されたリソース要素と、前記第二リソースブロック中の選択されたリソース要素との周期が同じである場合、前記指示シグナリングは、オフセット情報を含み、前記オフセット情報は、前記第一リソースブロック中の選択されたリソース要素と、前記第二リソースブロック中の選択されたリソース要素との時間領域上でのオフセットを指示用であり；前記第一リソースブロック中の選択されたリソース要素と、前記第二リソースブロック中の選択されたリソース要素との周期が異なる場合、前記指示シグナリングは、周期情報及びオフセット情報を含み、前記周期情報は、前記第一リソースブロック中の選択されたリソース要素と、前記第二リソースブロック中の選択されたリソース要素との時間領域上での周期を指示用であり、前記オフセット情報は、前記第一リソースブロック中の選択されたリソース要素と、前記第二リソースブロック中の選択されたリソース要素との時間領域周期中のオフセットを指示用であり；又は、前記第一リソースブロック及び前記第二リソースブロックが周波数領域の異なるサブキャリアに位置する時に、前記指示シグナリングは、周期情報及びオフセット情報を含み、前記周期情報は、前記第一リソースブロック中の選択されたリソース要素と、前記第二リソースブロック中の選択されたリソース要素との周波数領域上での周期を指示用であり、前記オフセット情報は、前記第一リソースブロック中の選択されたリソース要素と、前記第二リソースブロック中の選択されたリソース要素との周波数領域上でのオフセットを指示用である。該技術案では、“明示”の方式で、第一リソースブロックと第二リソースブロックとの間の周期及びオフセットを端末に通知する。
【００９８】
好ましくは、前記データ伝送モジュール1804は、RRCを採用して前記指示シグナリングを送信する。
【００９９】
好ましくは、前記データ処理モジュール1802は、各前記リソースブロックから、8アンテナポートのチャネル状態情報参照信号を伝送用のリソース要素以外の他のリソース要素を選択し、これにより、選択された8アンテナポートのチャネル状態情報参照信号を伝送用のリソース要素及び／又は前記他のリソース要素を用いて前記リソース要素組を構成する。
【０１００】
図5及び図18に示す基地局側の処理フロー及び基地局の構成に対応して、端末について言えば、図19に示すように、それがチャネル状態情報参照信号を受信するフローは、下記のステップを含む。ステップ1902：nアンテナポートのチャネル状態情報参照信号を受信し、前記nアンテナポートのチャネル状態情報参照信号は、１つのリソースブロックから選択されたs組のリソース要素からなるリソース要素組により伝送され、そのうち、第Ai組のリソース要素は、miアンテナポートのチャネル状態情報参照信号を伝送用であり、また、s＞1、n＞mi、1≦i≦sであり；又は、r個のリソースブロックにおいて、第Aj個目のリソースブロックから選択された少なくとも１つの、mjアンテナポートのチャネル状態情報参数信号を伝送用のリソース要素であって、全ての選択されたリソース要素により構成されるリソース要素組により伝送され、またr＞1、n＞mj、1≦j≦rである。該技術案では、従来の標準において、各リソースブロック中での例えば2、4又は8アンテナポートのCSI-RSを伝送用のリソース要素が既に定義されているため、１つ又は複数のリソースブロックから一部の元々2、4又は8アンテナポートのCSI-RSを伝送用のリソース要素を選択することで、組み合わせによってより多くのアンテナポートのCSI-RSを伝送用のリソース要素組を得ることができ、これにより、大規模アンテナシステムのパフォーマンスの十分な発揮に有利であり、そして、大量アンテナによるシステム容量利得を更に取得することができる。また、使用するのが、元々2、4又は8アンテナポートのCSI-RSを伝送用のリソース要素であるので、CSI-RSがサポートする伝送用アンテナポートの数を拡張し得ると同時に、以前のユーザへの影響をできるだけ減少させることもできる。
【０１０１】
図19に示す実行ステップに対応して、それ相応の端末の構成は図20に示すようである。端末2000は、データ交互モジュール2002を含み、それは、nアンテナポートのチャネル状態情報参照信号を受信用であり、前記nアンテナポートのチャネル状態情報参照信号は、１つのリソースブロックから選択されたs組のリソース要素からなるリソース要素組により伝送され、そのうち、第Ai組のリソース要素は、miアンテナポートのチャネル状態情報参照信号を伝送用であり、また、s＞1、n＞mi、1≦i≦sであり；又は、r個のリソースブロックのうちの第Aj個目のリソースブロックから選択された少なくとも１つの、mjアンテナポートのチャネル状態情報参数信号を伝送用のリソース要素であって、全ての選択されたリソース要素により構成されてリソース要素組により伝送され、また、r＞1、n＞mj、1≦j≦rである。
【０１０２】
好ましくは、前記リソース要素組が前記１つのリソースブロックに由来する時に、前記データ交互モジュール2002は更に指示シグナリングを受信し、それは、第一ジョイント・シグナリング及び前記s組のリソース要素に対応するs個の第一構成シグナリングを含み、そのうち、前記第一ジョイント・シグナリングは、トータルのアンテナポート数nの数値、前記１つのリソースブロックの時間領域上での周期及び時間領域周期中のオフセット、前記端末2000がチャネル状態情報をフィードバックする時に想定するデータチャネルの伝送パワー比γiを含み；また、第Ai組のリソース要素に対応する第一構成シグナリングは、アンテナポート数mi、前記第Ai組のリソース要素の前記１つのリソースブロック中の位置を含む。
【０１０３】
好ましくは、前記リソース要素組が前記r個のリソースブロックに由来する時に、前記データ交互モジュール2002は更に指示シグナリングを受信し、それは、第二ジョイント・シグナリング及び前記r個のリソースブロックに対応するr個の第二構成シグナリングを含み、そのうち、前記第二ジョイント・シグナリングは、トータルのアンテナポート数nの数値を含み；また、第Aj個目のリソースブロックに対応する第二構成シグナリングは、アンテナポート数mjの数値、前記第Aj個目のリソースブロック中の被選リソース要素の所在位置情報、前記第Aj個目のリソースブロックの位置情報、前記端末2000がチャネル状態情報をフィードバックする時に想定するデータチャネルの伝送パワー比γjを含む。
【０１０４】
好ましくは、前記r個のリソースブロックが時間領域の異なるサブフレームに位置する時に、前記第Aj個目のリソースブロックの位置情報は周期情報及びオフセット情報を含み、前記周期情報は前記第Aj個目のリソースブロックの時間領域上での周期を指示用であり、前記オフセット情報は前記第Aj個目のリソースブロックの時間領域周期中のオフセットを指示用であり；又は、前記r個のリソースブロックが周波数領域の異なるサブキャリアに位置する時に、前記第Aj個目のリソースブロックの位置情報は、時間領域情報及び周波数領域情報を含み、前記時間領域情報は前記第Aj個目のリソースブロックの時間領域上での周期及びオフセットを指示用であり、前記周波数領域情報は前記第Aj個目のリソースブロックの周波数領域上での周期及びオフセットを指示用である。
【０１０５】
好ましくは、前記リソース要素組が前記r個のリソースブロックに由来する時に、前記データ交互モジュール2002は更に指示シグナリングを受信し、それは、第三ジョイント・シグナリング及び前記r個のリソースブロックに対応するr個の第三構成シグナリング、そのうち、前記第三ジョイント・シグナリングは、トータルのアンテナポート数nの数値、前記r個のリソースブロックのうちの指定リソースブロックの位置情報、前記第Aj個目のリソースブロックと前記指定リソースブロックとの間の相対位置情報、前記端末2000がチャネル状態情報をフィードバックする時に想定するデータチャネルの伝送パワー比γjを含み；また、第Aj個目のリソースブロックに対応する第三構成シグナリングは、アンテナポート数mjの数値及び前記第Aj個目のリソースブロック中の被選リソース要素の所在位置情報を含む。
【０１０６】
好ましくは、前記r個のリソースブロックが時間領域の異なるサブフレームに位置する時に、前記相対位置情報はオフセット情報を含み、前記オフセット情報は前記第Aj個目のリソースブロックと前記指定リソースブロックの時間領域上でのオフセットを指示用であり；又は、前記r個のリソースブロックが周波数領域の異なるサブキャリアに位置する時に、前記第三ジョイント・シグナリングは、前記r個のリソースブロックの時間領域上での周期及びオフセットを含み；また、前記相対位置情報はオフセット情報を含み、前記オフセット情報は前記第Aj個目のリソースブロックと前記指定リソースブロックの周波数領域上でのオフセットを指示用である。
【０１０７】
好ましくは、更に第一前設定モジュール2004を含み、前記r個のリソースブロックが時間領域の異なるサブフレームに位置する時に、予め設定された前記r個のリソースブロックの時間領域上でのオフセット、又は、前記r個のリソースブロックが周波数領域の異なるサブキャリアに位置する時に、前記r個のリソースブロックの周波数領域上でのオフセットを予め設定し；そのうち、前記リソース要素組が前記r個のリソースブロックに由来する時に、前記データ交互モジュール2002更に指示シグナリングを受信し、前記指示シグナリングは、アンテナポート数mjの数値、トータルのアンテナポート数nの数値、前記r個のリソースブロックのうちの指定リソースブロックの時間領域上での位置情報、前記端末2000がチャネル状態情報をフィードバックする時に想定するデータチャネルの伝送パワー比γjを含む。
【０１０８】
好ましくは、更に第二前設定モジュール2006を含み、被選リソース要素の各リソースブロック中の位置を予め設定し；そのうち、前記リソース要素組が前記r個のリソースブロックに由来する時に、前記データ交互モジュール2002は更に指示シグナリングを受信し、前記指示シグナリングは、第四ジョイント・シグナリング及び前記r個のリソースブロックに対応するr個の第四構成シグナリングを含み、そのうち、前記第四ジョイント・シグナリングは、トータルのアンテナポート数nの数値を含み；また、第Aj個目のリソースブロックに対応する第四構成シグナリングは、アンテナポート数mjの数値、前記第Aj個目のリソースブロックの位置情報及び前記端末2000がチャネル状態情報をフィードバックする時に想定するデータチャネルの伝送パワー比γjを含み；又は、前記第四ジョイント・シグナリングは、トータルのアンテナポート数nの数値、前記r個のリソースブロックのうちの指定リソースブロックの時間領域上での位置情報、前記第Aj個目のリソースブロックと前記指定リソースブロックとの間の相対位置情報、及び前記端末2000がチャネル状態情報をフィードバックする時に想定するデータチャネルの伝送パワー比γjを含み；また、第Aj個目のリソースブロックに対応する第四構成シグナリングは、アンテナポート数mjの数値を含む。
【０１０９】
好ましくは、前記nアンテナポートのチャネル状態情報参照信号は16アンテナポートのチャネル状態情報参照信号であり、また、該16アンテナポートのチャネル状態情報参照信号は、１つの又は２つのリソースブロックから選択された２組の、8アンテナポートのチャネル状態情報参照信号を伝送用のリソース要素からなるリソース要素組により伝送され、そのうち、選択された各組のリソース要素の個数は8である。
【０１１０】
好ましくは、各前記リソースブロックから、8アンテナポートのチャネル状態情報参照信号を伝送用のリソース要素が複数の組として構成され、そのうち、前記リソースブロックがノーマル・サイクリック・プレフィックス・サブフレームである時に、前記リソース要素が５つの組として構成され、前記リソースブロックが拡張サイクリック・プレフィックス・サブフレームである時に、前記リソース要素が４つの組として構成され、この場合、前記16アンテナポートのチャネル状態情報参照信号に対応するリソース要素組の構成は、１つの前記リソースブロックに対応する複数の組のうちの指定の２組を選択し、又は、２つの前記リソースブロックから、第一リソースブロックに対応する複数の組のうちの指定の１組及び第二リソースブロックに対応する複数の組のうちの指定の１組を選択し、これにより、選択された２組のリソース要素を以て16アンテナポートのチャネル状態情報参照信号に対応するリソース要素組を構成し、そのうち、前記第一リソースブロック及び前記第二リソースブロックは時間領域の異なるサブフレームに位置し又は周波数領域の異なるサブキャリアに位置する。
【０１１１】
好ましくは、前記第一リソースブロック及び前記第二リソースブロックからぞれぞれ選択された１組により、前記リソース要素組を構成する時に、そのうち、前記第一リソースブロック及び前記第二リソースブロックが時間領域の異なるサブフレームに位置する時に、前記第一リソースブロック中の選択されたリソース要素と、前記第二リソースブロック中の選択されたリソース要素との周期が同じの場合、前記指示シグナリングは、オフセット情報を含み、前記オフセット情報は前記第一リソースブロック中の選択されたリソース要素と前記第二リソースブロック中の選択されたリソース要素の時間領域上でのオフセットを指示用であり；前記第一リソースブロック中の選択されたリソース要素と、前記第二リソースブロック中の選択されたリソース要素との周期が異なる場合、前記指示シグナリングは周期情報及びオフセット情報を含み、前記周期情報は前記第一リソースブロック中の選択されたリソース要素と前記第二リソースブロック中の選択されたリソース要素との時間領域上での周期を指示用であり、前記オフセット情報は前記第一リソースブロック中の選択されたリソース要素と前記第二リソースブロック中の選択されたリソース要素との時間領域周期中のオフセットを指示用であり；又は、前記第一リソースブロック及び前記第二リソースブロックが周波数領域の異なるサブキャリアに位置する時に、前記指示シグナリングは、周期情報及びオフセット情報を含み、前記周期情報は、前記第一リソースブロック中の選択されたリソース要素と、前記第二リソースブロック中の選択されたリソース要素との周波数領域上での周期を指示用であり、前記オフセット情報は、前記第一リソースブロック中の選択されたリソース要素と、前記第二リソースブロック中の選択されたリソース要素との周波数領域上でのオフセットを指示用である。
【０１１２】
好ましくは、前記データ交互モジュール2002が受信した前記指示シグナリングは、RRCを用いて伝送するものである。
【０１１３】
好ましくは、各前記リソースブロックから8アンテナポートのチャネル状態情報参照信号を伝送用のリソース要素以外の他のリソース要素を選択し、これにより、選択された8アンテナポートのチャネル状態情報参照信号を伝送用のリソース要素及び／又は前記他のリソース要素を用いて前記リソース要素組を構成する。
【０１１４】
図21は、本発明の実施例によるシステムのブロック図である。
【０１１５】
図21に示すように、本発明は更にシステム2100を提供し、それは、図18に示すような基地局1800、及び図20に示すような端末2000を含む。
【０１１６】
また、本発明は更にマシン可読プログラム（図示せず）を含み、そのうち、基地局中で前記プログラムを実行する時に、前記プログラムはマシンに前記基地局中で上述のチャネル状態情報参照信号の伝送方法を実行させる。
【０１１７】
本発明は更にマシン可読プログラムを記憶した記憶媒体（図示せず）を含み、そのうち、前記マシン可読プログラムは、マシンに、基地局中で上述のチャネル状態情報参照信号の伝送方法を実行させる。
【０１１８】
以上、図面を参照しながら本発明の技術案を詳細に説明しており、関連技術において最大で8アンテナポートのCSI-RS伝送だけをサポートし得るということを考慮した上で、本発明は、チャネル状態情報参照信号の伝送方法、基地局、端末、システム、マシン可読プログラム及びマシン可読プログラムを記憶した記憶媒体を提供しており、従来の少数アンテナポートのチャネル状態情報参照信号に基づいて、より多くのアンテナポートをサポートし得るチャネル状態情報参照信号を提供することができ、これにより、大規模アンテナシステムのパフォーマンスを十分に発揮し、そして、大量アンテナによるシステム容量利得を更に得ることができる。
【０１１９】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
2016509785.tif 000005
【図２】
2016509785.tif 000006
【図３】
2016509785.tif 000007
【図４】
2016509785.tif 000008
【図５Ａ】
2016509785.tif 000009
【図５Ｂ】
2016509785.tif 000010
【図６】
2016509785.tif 000011
【図７】
2016509785.tif 000012
【図８】
2016509785.tif 000013
【図９】
2016509785.tif 000014
【図１０】
2016509785.tif 000015
【図１１】
2016509785.tif 000016
【図１２】
2016509785.tif 000017
【図１３】
2016509785.tif 000018
【図１４】
2016509785.tif 000019
【図１５】
2016509785.tif 000020
【図１６】
2016509785.tif 000021
【図１７】
2016509785.tif 000022
【図１８】
2016509785.tif 000023
【図１９】
2016509785.tif 000024
【図２０】
2016509785.tif 000025
【図２１】
2016509785.tif 000026
【国際調査報告】
2016509785.tif 000027
2016509785.tif 000028
2016509785.tif 000029
2016509785.tif 000030